(57)【要約】【課題】利便性および汎用性の高い申請／評価支援システムおよびサーバを提供すること。【解決手段】サーバ２は、試験管理者端末３への入力操作に応じて、受験者に対する設問を所定の記憶部２３に記憶させて当該設問を設定し、当該設問に回答させるための回答画面を受験生端末６に送信し、受験生端末６への入力操作に応じて、受験者の設問に対する回答を記憶部２３に記憶させて当該回答を受け付け、当該回答に対する評価を行わせるための評価画面を評価担当者端末４に送信し、評価担当者の回答に対する評価を記憶部２３に記憶させて当該評価を受け付ける。【選択図】図１
2019200601.tif 000002
【特許請求の範囲】
【請求項１】
所定の機関が実施する試験について用いられる申請／評価支援システムであって、
サーバと、
前記サーバに通信ネットワークを介して接続され、前記試験を管理する試験管理者に用いられる試験管理者端末と、
前記サーバに前記通信ネットワークを介して接続され、前記試験の受験者を評価する評価担当者に用いられる評価担当者端末と、
前記サーバに前記通信ネットワークを介して接続され、前記受験者に用いられる受験者端末と、を備え、
前記サーバは、
前記試験管理者端末が前記サーバへログインしていることを条件に、前記試験管理者端末への入力操作に応じて、前記受験者に対する設問を所定の記憶部に記憶させて当該設問を設定し、
前記受験者端末が前記サーバへログインしていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末が前記サーバへログインしていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付けることを特徴とする申請／評価支援システム。
【請求項２】
所定の機関が実施する試験について用いられるサーバであって、
前記試験を管理する試験管理者に用いられる試験管理者端末、前記試験の受験者を評価する評価担当者に用いられる評価担当者端末、および前記受験者に用いられる受験者端末のそれぞれに通信ネットワークを介して接続され、
前記試験管理者端末にログインされていることを条件に、前記試験管理者端末への入力操作に応じて、前記受験者に対する設問を所定の記憶部に記憶させて当該設問を設定し、
前記受験者端末にログインされていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末にログインされていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付けることを特徴とするサーバ。
【請求項３】
請求項２に記載のサーバであって、
前記試験管理者端末、前記評価担当者端末、および前記受験者端末の他に、前記評価担当者によって行われた前記評価に対する責任者である評価責任者に用いられる評価責任者端末にも前記通信ネットワークを介して接続され、
前記評価担当者の前記回答に対する評価が前記記憶部に記憶された後に、前記評価責任者端末にログインされていることを条件に、前記評価担当者の前記回答に対する評価の結果を含み、当該評価の結果を確認して承認することができる画面を前記評価責任者端末に送信し、
前記評価責任者端末への入力操作に応じて、前記評価の結果に対する承認を示す情報を受信すると、当該承認を受け付けることを特徴とするサーバ。
【請求項４】
請求項２に記載のサーバであって、
前記試験管理者端末、前記評価担当者端末、および前記受験者端末の他に、前記評価担当者によって行われた前記評価に対する責任者である評価責任者に用いられる評価責任者端末にも前記通信ネットワークを介して接続され、
前記評価担当者の前記回答に対する評価が前記記憶部に記憶された後に、前記評価責任者端末にログインされていることを条件に、前記評価担当者の前記回答に対する評価の結果を含み、当該評価の結果を確認して変更することができる画面を前記評価責任者端末に送信し、
前記評価責任者端末への入力操作に応じて、前記評価の結果に対する変更を示す情報を受信すると、当該変更の内容に応じて前記記憶部に記憶していた前記評価の結果を変更することができることを特徴とするサーバ。
【請求項５】
請求項２乃至請求項４の何れか１つに記載のサーバであって、
前記試験管理者端末によって前記設問が設定される前に、前記試験管理者端末への入力操作に応じて、前記試験に対する１または複数の選考区分を前記記憶部に記憶して前記選考区分を設定し、
前記選考区分が設定された後に、前記試験管理者端末への入力操作に応じて、前記選考区分ごとに前記評価担当者を前記記憶部に記憶して各選考区分に対する前記評価担当者を設定することを特徴とするサーバ。
【発明の詳細な説明】
【技術分野】
【０００１】
本発明は、入学試験や就職試験などの申請およびその申請に対する評価を支援する申請／評価支援システムおよびサーバに関する。
【背景技術】
【０００２】
従来、入学・入社・登用に係る試験などの各種申請において、採用側が志望者側に志望理由や経験内容などに関する設問を用意することがある。そして、志望者側は設問に回答し、採用側がこれを評価する。この一連の流れは、紙媒体で行われていたが、近年、所謂「ＷＥＢ申請」、「インターネット出願」といったインターネットを利用してこれらの設問、回答、および評価を行うシステムが開示されている。
【先行技術文献】
【特許文献】
【０００３】
【特許文献１】特開２００２−０４１６７９号公報
【特許文献２】特開２００７−２７９７７８号公報
【発明の概要】
【発明が解決しようとする課題】
【０００４】
しかしながら、従来のシステムは、基本的に紙媒体で入力させる作業を、インターネットを介して行うことにとどまっているので、利便性および汎用性の向上が望まれている。
【０００５】
本発明は上記事情に鑑みてなされたものである。すなわち、その課題とするところは、利便性および汎用性の高い申請／評価支援システムおよびサーバを提供することである。
【課題を解決するための手段】
【０００６】
上記課題を解決するためになされた本発明の一形態は、
所定の機関が実施する試験について用いられる申請／評価支援システムであって、
サーバと、
前記サーバに通信ネットワークを介して接続され、前記試験を管理する試験管理者に用いられる試験管理者端末と、
前記サーバに前記通信ネットワークを介して接続され、前記試験の受験者を評価する評価担当者に用いられる評価担当者端末と、
前記サーバに前記通信ネットワークを介して接続され、前記受験者に用いられる受験者端末と、を備え、
前記サーバは、
前記試験管理者端末が前記サーバへログインしていることを条件に、前記試験管理者端末への入力操作に応じて、前記受験者に対する設問を所定の記憶部に記憶させて当該設問を設定し、
前記受験者端末が前記サーバへログインしていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末が前記サーバへログインしていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付けることを特徴とする。
また、上記課題を解決するためになされた本発明の一形態は、
所定の機関が実施する試験について用いられるサーバであって、
前記試験を管理する試験管理者に用いられる試験管理者端末、前記試験の受験者を評価する評価担当者に用いられる評価担当者端末、および前記受験者に用いられる受験者端末のそれぞれに通信ネットワークを介して接続され、
前記試験管理者端末にログインされていることを条件に、前記試験管理者端末への入力操作に応じて、前記受験者に対する設問を所定の記憶部に記憶させて当該設問を設定し、
前記受験者端末にログインされていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末にログインされていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付けることを特徴とする。
【発明の効果】
【０００７】
本発明に係る申請／評価支援システム、およびサーバによって、入学・入社・登用などの試験に対する利便性および汎用性を高めることができる。
【図面の簡単な説明】
【０００８】
【図１】本発明の第１実施形態に係る申請／評価支援システムの全体構成を表した概略図である。
【図２】同システムを構成する管理サーバの主要な機能構成を表すブロック図である。
【図３】同システムの主要な動作を表すフローチャートである。
【図４】同システムの試験管理者による設定処理を表すシーケンス図である。
【図５】同システムの受験生による申請処理を表すシーケンス図である。
【図６】同システムの評価担当者による採点評価処理を表すシーケンス図である。
【図７】同システムの評価責任者による評価変更承認処理を表すシーケンス図である。
【図８】試験管理者トップ画面を例示する模式図である。
【図９】試験区分設定画面を例示する模式図である。
【図１０】選考内容設定画面を例示する模式図である。
【図１１】評価観点設定ページが表示されている選考内容詳細設定画面を例示する模式図である。
【図１２】評価観点設定ページが表示されている選考内容詳細設定画面を例示する模式図である。
【図１３】評価者設定ページが表示されている選考内容詳細設定画面を例示する模式図である。
【図１４】設問設定ページが表示されている選考内容詳細設定画面を例示する模式図である。
【図１５】合算判定の判定方法詳細設定ページが表示されている選考内容詳細設定画面を例示する模式図である。
【図１６】合算判定の判定方法詳細設定ページが表示されている選考内容詳細設定画面を例示する模式図である。
【図１７】選択内容選択画面を例示する模式図である。
【図１８】基本特色加点回答画面を例示する模式図である。
【図１９】第１設問特色加点回答画面を例示する模式図である。
【図２０】第２設問特色加点回答画面を例示する模式図である。
【図２１】申請一覧画面を例示する模式図である。
【図２２】評価担当者トップ画面を例示する模式図である。
【図２３】評価対象一覧画面を例示する模式図である。
【図２４】申請別評価画面を例示する模式図である。
【図２５】観点別評価画面を例示する模式図である。
【図２６】評価責任者トップ画面を例示する模式図である。
【図２７】合算判定評価結果一覧画面を例示する模式図である。
【図２８】パターン判定評価結果一覧画面を例示する模式図である。
【発明を実施するための形態】
【０００９】
以下に、本発明の実施形態について説明する。図１は、本実施形態に係る申請／評価支援システム１の全体構成を示す概略図である。この申請／評価支援システム１は、大学の入学試験において、大学側が主体性や協調性などの受験生の個性に関する評価を行うために用いられる。詳細には、申請／評価支援システム１は、大学が設問および評価基準を設定し、受験生が設問に回答して申請し、大学が評価基準に従ってその申請を評価することを支援する。
【００１０】
（申請／評価支援システム１の全体構成）
図１に示すように、申請／評価支援システム１は、申請／評価支援システム１の運営者が管理する管理サーバ２と、大学の試験を管理する試験管理者が使用する試験管理者端末３と、受験生の申請を評価する複数の評価担当者が使用する評価担当者端末４−１，・・・，４−Ｎと、各申請に対する評価の責任者である評価責任者が使用する評価責任者端末５と、複数の受験生が使用する受験生端末６−１，６−２，６−３・・・，６−Ｎと、を有する。
【００１１】
なお、以下の説明では、評価担当者端末４−１，・・・，４−Ｎ・・・の各々を区別せずに共通の構成や機能を説明する際には、それぞれを「評価担当者端末４」と総称する。同様に、受験生端末６−１，６−２，６−３・・・，６−Ｎを「受験生端末６」と総称する。
【００１２】
また、申請／評価支援システム１における試験管理者端末３、評価担当者端末４、評価責任者端末５、および受験生端末６の台数は、任意の台数にすることができる。
【００１３】
管理サーバ２は、通信ネットワーク７を介して試験管理者端末３、評価担当者端末４、評価責任者端末５、および受験生端末６と接続されている。通信ネットワーク７は、例えば、インターネット、ＬＡＮ、電話回線、移動体通信網、Ｗｉ−Ｆｉ（Wireless  Fidelity）（登録商標）、その他の通信回線、またはそれらの組み合わせなどの何れで構成されてもよく、有線であるか無線であるかを問われない。
【００１４】
試験管理者端末３、評価担当者端末４、評価責任者端末５、および受験生端末６は、通信ネットワーク７を介して他の通信機器と情報の送受信が可能であり、且つ、受信した情報に基づく画面表示が可能な表示部と、各々の使用者の操作を受け付け可能な入力部とを備える端末装置で構成される。具体的に、試験管理者端末３、評価担当者端末４、評価責任者端末５、および受験生端末６としては、デスクトップパソコン、ノートパソコン（ノートブック）、タブレット端末、スマートフォン、およびＰＤＡ（Personal  Digital  Assistant）などを用いることができる。
【００１５】
試験管理者端末３では、試験管理者端末３の入力部を介して、試験区分、選考内容、評価観点、評価者、受験生への設問、および判定方法を設定するための所定操作（入力操作や選択操作）が試験管理者によって行われる。これらの設定内容の詳細は後述するが、ここで各設定内容について簡単に説明する。
【００１６】
試験区分とは、入学試験の区分のことである。試験区分は、募集区分と学部・学科の組み合わせで構成されている。すなわち、試験区分を示す情報は、募集区分を示す情報と、学部・学科を示す情報を有する。なお、募集区分は、例えば、一般入試、推薦入試、およびＡＯ入試などのことである。
【００１７】
選考内容とは、受験生の個性を把握するための設問の最上位の区分である。選考内容として、例えば、活動実績、志望理由、および入学後の学習計画がある。
【００１８】
評価観点とは、大学側が設問に対する回答を評価するための観点のことである。評価観点としては、例えば、総合的評価、主体性、協調性、およびアドミッション・ポリシー（入学者受け入れ方針）との関連性などがある。
【００１９】
評価者は、設問に対する回答を評価する大学職員、および職員（以下、単に「職員」という）のことであり、評価担当者と評価責任者に分かれる。評価担当者は、基本的には受験生の回答を個別に評価する担当者のことである。評価責任者は、基本的には、各最終的な評価に対して責任を負う立場の者のことである。
【００２０】
また、受験生への設問とは、受験生に回答させる事項である。受験生が回答した事項が受験生の申請内容となる。受験生への設問としては、選考内容に応じて異なるが、例えば、活動実績の概要、およびその内容に基づく設問などがある。
【００２１】
判定方法とは、評価担当者による評価の結果（評価素点）に基づいて受験生の申請を判定するための方法のことである。判定方法としては、例えば、評価担当者の評価素点を合算した合計点で判定する方法、評価担当者の評価素点を合算した合計点に基づいて算出される平均値で判定する方法、および評価担当者の評価素点の組み合わせに対応付けられた値で判定する方法などがある。
【００２２】
受験生端末６では、受験生端末６の入力部に対して、受験生が大学側から要求された設問に回答する申請を行うための所定操作（入力操作や選択操作）が受験生によって行われる。
【００２３】
評価担当者端末４では、評価担当者端末４の入力部に対して、受験生の回答を評価するための所定操作（入力操作や選択操作）が評価担当者によって行われる。
【００２４】
評価責任者端末５では、評価責任者端末５の入力部に対して、評価担当者が行った評価を変更または承認するための所定操作（入力操作や選択操作）が行われる。
【００２５】
（管理サーバ２）
次に、管理サーバ２について説明する。図２は、管理サーバ２の主要な機能構成を示すブロック図である。管理サーバ２は、申請／評価支援システム１を利用する大学毎に、受験生の個性という特定科目に関する試験（以下、「特定科目試験」という）を実施するためのサービスを提供する。管理サーバ２は、通信ネットワーク７を介して接続された試験管理者端末３、評価担当者端末４、評価責任者端末５、および受験生端末６への所定操作（入力操作や選択操作）に基づいて様々な処理を行う。
【００２６】
管理サーバ２は、例えば、演算処理能力の高いコンピュータで構成され、試験管理者端末３、評価担当者端末４、評価責任者端末５、および受験生端末６と連携して特定科目試験を管理するサーバ機能を実現する。なお、管理サーバ２は、特定科目試験以外の学科試験とも連動させて入学試験全般に対するサーバ機能を実現させても良い。
【００２７】
管理サーバ２には、サーバ通信部２１と、サーバ制御部２２と、サーバ記憶部２３と、が含まれている。
【００２８】
サーバ通信部２１は、外部装置と通信し、情報の送受信を行うインターフェースで構成されている。サーバ通信部２１は、通信ネットワーク７を介して、試験管理者端末３、評価担当者端末４、評価責任者端末５、および受験生端末６のそれぞれとの間で情報を相互に送受信可能である。なお、サーバ通信部２１の外部装置との通信形式は無線または有線の何れであっても良い。
【００２９】
サーバ記憶部２３は、コンピュータが読み取り可能な記録媒体からなる物理デバイスの記憶領域が提供する半導体メモリまたはディスクドライブなどの記憶装置で構成される。サーバ記憶部２３は、オペレーティングシステムプログラムやドライバプログラムを含む各種プログラムおよびこれらのプログラムの実行中に使用される各種データを格納する。
【００３０】
具体的に、サーバ記憶部２３には、後述するサーバ制御部２２に実行させる管理プログラム２３ａと、管理プログラム２３ａの実行中に使用される各種データベースが記憶されている。各種データベースには、大学情報ＤＢ２３ｂ、試験管理者情報ＤＢ２３ｃ、職員情報ＤＢ２３ｄ、受験生情報ＤＢ２３ｅ、試験区分情報ＤＢ２３ｆ、選考内容情報ＤＢ２３ｇ、評価観点情報ＤＢ２３ｈ、評価担当者情報ＤＢ２３ｉ、評価責任者情報ＤＢ２３ｊ、設問情報ＤＢ２３ｋ、判定方法情報ＤＢ２３ｌ、回答情報ＤＢ２３ｍ、個別評価結果情報ＤＢ２３ｎ、観点別評価結果情報ＤＢ２３ｏ、および申請別評価結果情報ＤＢ２３ｐが含まれている。
【００３１】
大学情報ＤＢ２３ｂは、大学に関する情報（以下、「大学情報」という）を格納する。大学情報は、大学ごとに発行される大学ＩＤ、認証用のパスワード、大学の名称、および所在地などの情報を含む。なお、本実施形態においては、大学情報は、例えば、申請／評価支援システム１の運営者による所定操作や管理サーバ２による所定処理によって予め大学情報ＤＢ２３ｂに格納されているものとする。
【００３２】
試験管理者情報ＤＢ２３ｃは、試験管理者に関する情報（以下、「試験管理者情報」という）を格納する。試験管理者情報は、試験管理者ごとに発行される試験管理者ＩＤ、認証用のパスワード、大学名、試験管理者の担当者名、およびメールアドレスなどの情報を含む。また、試験管理者情報には、大学ＩＤも含まれている。すなわち、試験管理者情報は、大学ＩＤに紐づけられている。なお、本実施形態においては、試験管理者情報は、例えば試験管理者の試験管理者端末３に対する所定操作や管理サーバ２による所定処理によって予め試験管理者情報ＤＢ２３ｃに格納されているものとする。
【００３３】
職員情報ＤＢ２３ｄは、各大学の職員に関する情報（以下、「職員情報」という）を格納する。職員情報は、職員ごとに発行される職員ＩＤ、認証用のパスワード、氏名、およびメールアドレスなどの情報を含む。なお、本実施形態においては、職員情報は、例えば、試験管理者の試験管理者端末３に対する所定操作や管理サーバ２による所定処理によって予め職員情報ＤＢ２３ｄに格納されているものとする。
【００３４】
受験生情報ＤＢ２３ｅは、申請／評価支援システム１を用いて、各大学の入学試験を受験する受験生に関する情報（以下、「受験生情報」という）を格納する。受験生情報は、受験生ごとに発行される受験生ＩＤ、認証用のパスワード、氏名、住所、およびメールアドレスなどの情報を含む。また、受験生情報には、大学ＩＤおよび後述する受験区分情報も含まれている。すなわち、受験生情報は、大学ＩＤおよび受験区分情報に紐づけられている。受験生は、各大学で設定される試験区分単位で受験するからである。なお、本実施形態においては、受験生情報は、例えば、試験管理者の試験管理者端末３に対する所定操作もしくは受験生の受験生端末６に対する所定操作や管理サーバ２による所定処理によって予め受験生情報ＤＢ２３ｅに格納されているものとする。
【００３５】
試験区分情報ＤＢ２３ｆは、試験区分に関する情報（以下、「試験区分情報」という）を格納する。試験区分情報は、募集区分を示す情報（以下、「募集区分情報」という）、学部・学科を示す情報（以下、「学部・学科情報」という）を含む。なお、募集区分情報、および学部・学科情報は、試験管理者端末３への所定操作によって通信ネットワーク７を介して管理サーバ２に送信される。また、試験区分情報には、大学ＩＤも含まれている。すなわち、試験区分情報は、大学ＩＤに紐づけられている。
【００３６】
選考内容情報ＤＢ２３ｇは、前述の活動実績などの選考内容を示す情報（以下、「選考内容情報」という）を格納する。選考内容情報は、選考内容の名称を示す情報（以下、「選考内容名称情報」）を含む。なお、選考内容名称情報は、試験管理者端末３への所定操作によって通信ネットワーク７を介して管理サーバ２に送信される。
【００３７】
また、詳細は後述するが、選考内容が設定される際に、１つの選考内容に対する申請数の上限、および判定方法の上位区分も設定される。申請が複数あるということは、例えば、ある活動実績という１つの選考内容に対して、部活動に関する申請と、資格取得に関する申請の２つの申請を行うことができるということである。さらに、本実施形態では、判定方法の上位区分として、前述の合算判定とパターン判定がある。そして、選考内容情報には、申請数の上限を示す情報（以下、「申請数情報」という）と、判定方法の区分を示す情報（以下、「判定方法区分情報」という）も含まれる。なお、申請数情報、および判定方法区分情報は、試験管理者端末３への所定操作によって通信ネットワーク７を介して管理サーバ２に送信される。
【００３８】
また、選考内容情報には、大学ＩＤ、および試験区分情報も含まれている。すなわち、選考内容情報は、大学ＩＤ、および試験区分情報に紐づけられている。選考内容は、各大学の試験区分ごとに設定されるからである。
【００３９】
評価観点情報ＤＢ２３ｈは、前述の評価観点に関する情報（以下、「評価観点情報」という）を格納する。評価観点情報は、評価観点の識別番号である評価観点番号に関する情報（以下、「評価観点番号情報」という）、評価観点の名称に関する情報（以下、「評価観点名称情報」という）、評価観点に係る評価レベルに関する情報（以下、「評価レベル情報」という）、評価レベルに対応付けられた評価基準に関する情報（以下、「評価レベル基準情報」という）、および評価レベルに対応付けられた補足に関する情報（以下、「評価レベル補足情報」という）を含む。なお、評価観点番号情報、評価観点名称情報、評価レベル情報、評価レベル基準情報、および評価レベル補足情報は、試験管理者端末３への所定操作によって通信ネットワーク７を介して管理サーバ２に送信される。
【００４０】
１つの評価観点について複数の評価レベルが設定される。すなわち、１つの評価観点について評価レベルの数だけ評価観点情報が格納される。例えば、評価観点１があり、評価観点１に対して評価レベルが４つ設定されると、この評価観点１については、評価観点１の評価レベル１、評価レベル２、評価レベル３、および評価レベル４を示す４つの評価観点情報が格納されることになる。
【００４１】
また、評価観点情報には、大学ＩＤ、試験区分情報、および選考内容名称情報も含まれている。すなわち、評価観点情報は、大学ＩＤ、試験区分情報、および選考内容情報に紐づけられている。評価観点は、各試験区分の選考内容ごとに設定されるからである。
【００４２】
評価担当者情報ＤＢ２３ｉは、評価担当者に関する情報（以下、「評価担当者情報」という）を格納する。本実施形態では、評価担当者は、選考内容毎に複数名設定される。また、各評価担当者には、その選考内容で評価する評価観点が個別に割り当てられる。そして、評価担当者情報は、その選考内容に対する評価担当者番号、職員ＩＤ、および担当する評価観点などの情報（以下、「担当観点情報」）を含む。評価担当者番号とは、例えば、評価者１、評価者２、・・・などのように、その選考内容に対する評価担当者の識別番号のことである。なお、担当観点情報は、試験管理者端末３への所定操作によって通信ネットワーク７を介して管理サーバ２に送信される。
【００４３】
また、評価担当者情報には、大学ＩＤ、試験区分情報、および選考内容名称情報も含まれている。すなわち、評価担当者情報は、大学ＩＤ、試験区分情報、および選考内容名称情報に紐づけられている。評価担当者は、各試験区分の選考内容ごとに設定されるからである。
【００４４】
評価責任者情報ＤＢ２３ｊは、評価責任者に関する情報（以下、「評価責任者情報」という）を格納する。本実施形態では、評価責任者は、選考内容毎に１名設定される。そして、評価責任者情報は、職員ＩＤを含む。また、評価責任者情報には、大学ＩＤ、および試験区分情報も含まれている。すなわち、評価責任者情報は、大学ＩＤ、および試験区分情報に紐づけられている。評価責任者は、試験区分ごとに設定されるからである。なお、評価責任者情報に含まれる職員ＩＤは、試験管理者端末３への所定操作によって通信ネットワーク７を介して管理サーバ２に送信される。
【００４５】
設問情報ＤＢ２３ｋは、前述の活動実績などの設問に関する情報（以下、「設問情報」という）を格納する。設問情報は、設問ごとに生成される。設問は、１つの選考内容に対して複数設定される場合もある。このような場合には、設問情報は設問ごとに生成される。そこで、設問情報には、１つの選考内容における設問の順番を識別する番号である設問番号を示す情報（以下、「設問番号情報」という）が含まれる。
【００４６】
また、設問情報には、設問のタイトルに関する情報（以下、「設問タイトル情報」という）、設問を説明する教示文に関する情報（以下、「教示文情報」という）、受験生の回答に係る入力文字数の上限値に関する情報（以下、「入力最大文字数情報」）、およびその設問に対応付けられた評価観点に関する情報（以下、「対応観点情報」という）を含む。なお、設問番号情報、設問タイトル情報、教示文情報、入力最大文字数情報、および対応観点情報は、試験管理者端末３への所定操作によって通信ネットワーク７を介して管理サーバ２に送信される。
【００４７】
さらに、設問情報には、大学ＩＤ、試験区分情報、および選考内容名称情報も含まれている。すなわち、設問情報は、大学ＩＤ、試験区分情報、および選考内容名称情報に紐づけられている。設問情報は、各試験区分の選考内容ごとに設定されるからである。
【００４８】
判定方法情報ＤＢ２３ｌは、判定方法の詳細に関する情報（以下、「判定方法情報」という）を格納する。判定方法情報は、選考内容ごとに生成され、具体的な判定方法に関する情報（以下、「判定方法詳細情報」という）を含む。具体的な判定方法は、判定方法区分によって異なる。具体的な判定方法については後述する。なお、判定方法詳細情報は、試験管理者端末３への所定操作によって通信ネットワーク７を介して管理サーバ２に送信される。
【００４９】
また、判定方法情報には、大学ＩＤ、試験区分情報、および選考内容名称情報も含まれている。すなわち、判定方法情報は、大学ＩＤ、試験区分情報、および選考内容名称情報に紐づけられている。判定方法情報は、各試験区分の選考内容ごとに設定されるからである。
【００５０】
回答情報ＤＢ２３ｍは、受験生の回答に関する情報（以下、「回答情報」という）を格納する。回答情報は、設問ごとに生成される。回答情報には、回答の内容を表す情報（以下、「回答内容情報」という）が含まれている。なお、回答内容情報は、受験生端末６への所定操作によって通信ネットワーク７を介して管理サーバ２に送信される。
【００５１】
また、回答情報には、大学ＩＤ、試験区分情報、選考内容名称情報、申請番号情報、および設問番号情報も含まれている。すなわち、回答情報は、大学ＩＤ、試験区分情報、選考内容名称情報、申請番号情報、および設問番号情報に紐づけられている。回答情報は、各選考内容の設問ごとに設定されるからである。
【００５２】
個別評価結果情報ＤＢ２３ｎは、各評価担当者が申請ごとに割り当てられた各評価観点に対して評価した評価レベルに関する情報（以下、「個別評価結果情報」という）を格納する。個別評価結果情報には、評価担当者の評価観点別の評価結果としての評価レベル（評価素点）を表す情報（以下、「評価素点情報」という）が含まれている。この情報は、前述の評価素点情報に相当する。なお、評価素点情報は、評価担当者端末４への所定操作によって通信ネットワーク７を介して管理サーバ２に送信される。
【００５３】
また、個別評価結果情報には、受験生ＩＤ、大学ＩＤ、試験区分情報、選考内容名称情報、申請番号情報、および評価観点番号情報も含まれている。すなわち、個別評価結果情報は、受験生ＩＤ、大学ＩＤ、試験区分情報、選考内容名称情報、申請番号情報、および評価観点番号情報に紐づけられている。評価担当者の評価は、申請ごとに評価観点別で行われるからである。
【００５４】
観点別評価結果情報ＤＢ２３ｏは、設問ごとに設定された各評価観点に関する評価結果に関する情報（以下、「観点別評価結果情報」）を格納する。観点別評価結果情報には、各評価観点に関する全ての評価担当者の評価素点に基づいて算出された得点（観点別得点）に関する情報（以下、「観点別得点情報」という）が含まれている。なお、本実施形態では、観点別得点として平均値が適用されている。観点別得点の算出方法は平均値に限られず適宜に設定可能である。
【００５５】
また、観点別評価結果情報には、受験生ＩＤ、大学ＩＤ、試験区分情報、選考内容名称情報、申請番号情報、および評価観点番号情報も含まれている。すなわち、観点別評価結果情報は、受験生ＩＤ、大学ＩＤ、試験区分情報、選考内容名称情報、申請番号情報、および評価観点番号情報に紐づけられている。受験生に対する評価は、申請ごとに評価観点別で行われるからである。
【００５６】
申請別評価結果情報ＤＢ２３ｐは、１つの申請に係る全ての観点別評価結果に基づいて導出される１つの申請に対する総合的な評価結果に関する情報（以下、「申請別評価結果情報」という）を格納する。申請別評価結果情報には、その申請に係る全ての観点別得点に基づいて算出されたその申請に対する総得点（申請別得点）に関する情報（以下、「申請別得点情報」という）を格納する。
【００５７】
また、申請別評価結果情報には、受験生ＩＤ、大学ＩＤ、試験区分情報、選考内容名称情報、および申請番号情報も含まれている。すなわち、申請別評価結果情報は、受験生ＩＤ、大学ＩＤ、試験区分情報、選考内容名称情報、および申請番号情報に紐づけられている。受験生に対する最終的な評価は、各選考内容の申請ごとに行われるからである。
【００５８】
次に、サーバ制御部２２について説明する。サーバ制御部２２は、プロセッサ、すなわち、データの演算・加工や転送、プログラムの実行や他の装置の制御などを担う処理装置であり、ＣＰＵおよび各種レジスタから構成されている。
【００５９】
サーバ制御部２２は、サーバ記憶部２３に記憶されている各種プログラムを実行することで、管理サーバ２を中枢的に制御する。また、サーバ制御部２２は、管理プログラムを実行することにより、試験管理者端末３、評価担当者端末４、評価責任者端末５、および受験生端末６と連携して申請／評価の支援機能を実現する。
【００６０】
サーバ制御部２２には、認証管理部２２ａ、試験区分設定部２２ｂ、選考内容設定部２２ｃ、評価観点設定部２２ｄ、評価者設定部２２ｅ、設問設定部２２ｆ、判定方法設定部２２ｇ、回答登録部２２ｈ、個別評価結果登録部２２ｉ、観点別評価結果登録部２２ｊ、申請別評価結果登録部２２ｋ、評価結果変更部２２ｌ、および評価承認部２２ｍを有する。
【００６１】
認証管理部２２ａは、試験管理者端末３、評価担当者端末４、評価責任者端末５、または受験生端末６から管理サーバ２へのログイン時の認証を行う。認証管理部２２ａは、試験管理者端末３、評価担当者端末４、評価責任者端末５、または受験生端末６がアクセスしてきた際に、各端末利用者のＩＤ、詳細には、試験管理者ＩＤ、職員ＩＤ、または受験生ＩＤ、および各自のパスワードを要求し、試験管理者情報ＤＢ２３ｃ、評価担当者情報ＤＢ２３ｉ、評価責任者情報ＤＢ２３ｊ、または受験生情報ＤＢ２３ｅに格納されている各種情報に照合して認証を行う。なお、この際に、アクセスログを記録させても良い。
【００６２】
試験区分設定部２２ｂは、試験管理者端末３から送信されてきた募集区分情報、および学部・学科情報に基づいて、試験区分情報を生成して試験区分情報ＤＢ２３ｆに登録する。
【００６３】
選考内容設定部２２ｃは、試験管理者端末３から送信されてきた選考内容名称情報、申請数情報、および判定方法区分情報に基づいて、選考内容情報を生成して選考内容情報ＤＢ２３ｇに登録する。
【００６４】
評価観点設定部２２ｄは、試験管理者端末３から送信されてきた評価観点番号情報、評価観点名称情報、評価レベル情報、評価レベル基準情報、評価レベル補足情報に基づいて、評価観点情報を生成して評価観点情報ＤＢ２３ｈに登録する。
【００６５】
評価者設定部２２ｅは、試験管理者端末３から送信されてきた評価担当者を示す職員ＩＤ、および担当観点情報に基づいて評価担当者情報を評価担当者情報ＤＢ２３ｉに登録する。また、評価者設定部２２ｅは、試験管理者端末３から送信されてきた評価責任者を示す職員ＩＤに基づいて評価責任者情報を生成して評価責任者情報ＤＢ２３ｊに登録する。
【００６６】
設問設定部２２ｆは、試験管理者端末３から送信されてきた設問番号情報、設問タイトル情報、教示文情報、入力最大文字数情報、および対応観点情報に基づいて設問情報を生成して設問情報ＤＢ２３ｋに登録する。
【００６７】
判定方法設定部２２ｇは、試験管理者端末３から送信されてきた判定方法詳細情報に基づいて判定方法情報を生成して判定方法情報ＤＢ２３ｌに登録する。
【００６８】
回答登録部２２ｈは、受験生端末６から送信されてきた回答内容情報に基づいて、回答情報を回答情報ＤＢ２３ｍに登録する。
【００６９】
個別評価結果登録部２２ｉは、評価担当者端末４から送信されてきた評価素点情報に基づいて、個別評価結果情報を生成して個別評価結果情報ＤＢ２３ｎに登録する。
【００７０】
観点別評価結果登録部２２ｊは、各評価観点について、その評価観点に係る全ての評価担当者の評価担当者端末４から送信されてきて、個別評価結果情報ＤＢ２３ｎに格納されている評価素点情報を用いて、その評価観点に対する判定方法に基づいて、観点別得点を算出して、観点別評価結果情報を生成して観点別評価結果情報ＤＢ２３ｏに登録する。なお、判定方法は、判定方法情報ＤＢ２３ｌに格納された判定方法情報の中で、その評価素点情報に関連付けられた受験生ＩＤ、大学ＩＤ、試験区分情報、選考内容名称情報、申請番号情報、および評価観点番号情報に関連付けられた判定方法情報が示す判定方法となる。
【００７１】
申請別評価結果登録部２２ｋは、各申請について、その申請に係る全ての観点別評価結果情報が観点別評価結果情報ＤＢ２３ｏに登録されると、観点別評価結果情報が示す観点別得点に基づいて、その申請に対する申請別得点を算出し、申請別評価結果情報を生成して申請別評価結果情報ＤＢ２３ｐに登録する。
【００７２】
評価結果変更部２２ｌは、評価責任者端末５から、後述する変更観点別得点を示す情報が送信されてくると、当該情報に対応し、個別評価結果情報ＤＢ２３ｎに格納されている個別評価結果情報に含まれる評価素点情報を当該変更観点別得点情報に変更する。なお、変更観点別得点情報については後述する。
【００７３】
また、評価結果変更部２２ｌは、変更観点得点情報に変更したことに応じて観点別得点を再度算出して、新たな観点別評価結果情報を生成して観点別評価結果情報ＤＢ２３ｏに登録する。さらに、評価結果変更部２２ｌは、観点別評価結果情報を新たに生成したことに応じて申請別得点を再度算出して、新たな申請別評価結果情報を生成して申請別評価結果情報ＤＢ２３ｐに登録する。
【００７４】
評価承認部２２ｍは、評価責任者端末５から、後述する評価承認情報が送信されてくると、当該評価承認情報に対応する選考内容の承認状況を示すステータスを「承認済」に変更する。
【００７５】
次に、申請／評価支援システム１の動作を説明する。図３は、申請／評価支援システム１の大まかな動作を示すフローチャートである。図３に示すように、申請／評価支援システム１では、最初に、試験管理者による設定処理が行われる（ステップS1）。次に、受験生による申請処理が行われる（ステップS2）。その後は、評価担当者による採点評価処理が行われる（ステップS3）。そして、最後に、評価責任者による評価変更承認処理が行われる（ステップS4）。
【００７６】
続いて、図３に示す申請／評価支援システム１の主要な動作フローに係る各処理を個別に説明する。最初に、ステップS1の設定処理について説明する。設定処理は、試験管理者が試験管理者端末３を操作することによって試験管理者端末３と管理サーバ２とで行われる。
【００７７】
図４は、試験管理者端末３、および管理サーバ２において実行される設定処理の代表的な処理を表すシーケンス図である。なお、設定処理では、図４に示す処理以外の処理も行われる場合がある。
【００７８】
まず、試験管理者端末３が管理サーバ２にアクセスすると（ステップS100）、管理サーバ２は試験管理者ＩＤおよび試験管理者のパスワードを要求する（ステップS101）。具体的には、試験管理者端末３に、一般的な試験管理者用ログイン画面（図示なし）を表示させる。そこで、試験管理者端末３に対して、試験管理者ＩＤおよびパスワードの入力を含み、試験管理者ＩＤおよびパスワードを管理サーバ２へ送信するための送信操作が行われると、試験管理者端末３は試験管理者ＩＤおよびパスワードを管理サーバ２に送信する（ステップS102）。
【００７９】
管理サーバ２は、試験管理者ＩＤおよびパスワードを受信すると、その試験管理者ＩＤおよびパスワードを試験管理者情報ＤＢ２３ｃに照会して認証を行う。管理サーバ２の認証が成功すると、管理サーバ２は、試験管理者トップ画面を試験管理者端末３に送信する（ステップS103）。なお、管理サーバ２は、試験管理者ＩＤの試験管理者情報ＤＢ２３ｃへの認証により、どの大学が試験区分を設定しようとしているのかを特定することができる。また、試験管理者トップ画面の詳細は後述するが、試験管理者トップ画面は、試験区分を設定するための画面である。
【００８０】
試験管理者端末３は、管理サーバ２から送信されてきた試験管理者トップ画面を表示する（ステップS104）。試験管理者端末３に対して、募集区分情報や学部・学科情報などの入力操作を含み、これらの情報を管理サーバ２へ送信するための送信操作が行われると、試験管理者端末３は募集区分情報などを管理サーバ２に送信する（ステップS105）。
【００８１】
管理サーバ２は、募集区分情報などを受信すると、これらの募集区分情報などに基づいて試験区分情報を生成して試験区分情報ＤＢ２３ｆに登録する（ステップS106）と共に、選考内容設定画面を試験管理者端末３に送信する（ステップS107）。なお、管理サーバ２は、試験区分情報の試験区分情報ＤＢ２３ｆへの登録により、どの大学がどの試験区分に対する選考内容を設定しようとしているのかを特定することができる。また、選考内容設定画面の詳細は後述するが、選考内容設定画面は、選考内容を設定するための画面である。
【００８２】
試験管理者端末３は、管理サーバ２から送信されてきた選考内容設定画面を表示する（ステップS108）。試験管理者端末３に対して、選考内容名称情報、申請数情報、および判定方法区分情報などの入力操作を含み、これらの情報を管理サーバ２へ送信するための送信操作が行われると、試験管理者端末３は選考内容名称情報などを管理サーバ２に送信する（ステップS109）。
【００８３】
管理サーバ２は、選考内容名称情報などを受信すると、これらの選考内容名称情報などに基づいて選考内容情報を生成して選考内容情報ＤＢ２３ｇに登録する（ステップS110）と共に、選考内容詳細設定画面を試験管理者端末３に送信する（ステップS111）。なお、管理サーバ２は、選考内容情報の選考内容情報ＤＢ２３ｇへの登録により、どの大学がどの試験区分のどの選考内容に対する選考内容の詳細を設定しようとしているのかを特定することができる。
【００８４】
選考内容詳細設定画面の詳細は後述するが、選考内容詳細設定画面には、評価観点を設定するための評価観点設定ページ、評価者を設定するための評価者設定ページ、設問を設定するための設問設定ページ、および判定方法の詳細を設定するための判定方法設定ページの何れかを開くことができるウィンドウが表示されている。なお、選考内容詳細設定画面が表示されたときには、評価観点設定ページが開いている。
【００８５】
試験管理者端末３は、管理サーバ２から送信されてきた選考内容詳細設定画面を表示する（ステップS112）。試験管理者端末３に対して、評価観点番号情報、評価観点名称情報、評価レベル情報、評価レベル基準情報、および評価レベル補足情報などの入力操作を含み、これらの情報を管理サーバ２へ送信するための送信操作が行われると、試験管理者端末３は評価観点番号情報などを管理サーバ２に送信する（ステップS113）。
【００８６】
管理サーバ２は、評価観点番号情報などを受信すると、これらの評価観点番号情報などに基づいて評価観点情報を生成して評価観点情報ＤＢ２３ｈに登録する（ステップS114）と共に、評価観点設定ページから評価者設定ページへ切り替える旨を示す情報を試験管理者端末３に送信する（ステップS115）。
【００８７】
試験管理者端末３は、管理サーバ２から送信されてきた情報に基づいて評価者設定ページを表示する（ステップS116）。試験管理者端末３に対して、評価責任者を示す職員ＩＤ、ならびに評価担当者番号情報、各評価担当者番号に応じた職員ＩＤ、各評価担当者番号に応じた担当観点情報の入力操作を含み、これらの情報を管理サーバ２へ送信するための送信操作が行われると、試験管理者端末３はこれらの情報を管理サーバ２に送信する（ステップS117）。
【００８８】
管理サーバ２は、評価責任者を示す職員ＩＤなどを受信すると、評価者情報の登録を行う。詳細には、管理サーバ２は、これらの職員ＩＤなどに基づいて評価責任者情報、および評価担当者情報を生成して評価責任者情報ＤＢ２３ｊ、および評価担当者情報ＤＢ２３ｉに登録する（ステップS118）と共に、評価者設定ページから設問設定ページへ切り替える旨を示す情報を試験管理者端末３に送信する（ステップS119）。なお、設問設定ページの詳細は後述するが、設問設定ページは、申請に係る設問内容、具体的には設問タイトルや設問を説明する教示文などの設問を設定するためのページである。
【００８９】
試験管理者端末３は、管理サーバ２から送信されてきた情報に基づいて設問設定ページを表示する（ステップS120）。試験管理者端末３に対して、設問番号情報、設問タイトル情報、教示文情報、入力最大文字数情報、および設問観点情報などの入力操作を含み、これらの情報を管理サーバ２へ送信するための送信操作が行われると、試験管理者端末３は設問番号情報などを管理サーバ２に送信する（ステップS121）。
【００９０】
管理サーバ２は、設問番号情報などを受信すると、これらの設問番号情報などに基づいて設問情報を生成して設問情報ＤＢ２３ｋに登録する（ステップS122）と共に、設問設定ページから判定方法設定ページへ切り替える旨を示す情報を試験管理者端末３に送信する（ステップS123）。なお、判定方法設定ページの詳細は後述するが、判定方法設定ページは、判定方法の詳細を設定するための画面である。
【００９１】
試験管理者端末３は、管理サーバ２から送信されてきた情報に基づいて判定方法設定ページを表示する（ステップS124）。試験管理者端末３に対して、判定方法詳細情報の入力操作を含み、判定方法詳細情報を管理サーバ２へ送信するための送信操作が行われると、試験管理者端末３は判定方法詳細情報を管理サーバ２に送信する（ステップS125）。
【００９２】
管理サーバ２は、判定方法詳細情報を受信すると、その判定方法詳細情報に基づいて判定方法情報を判定方法情報ＤＢ２３ｌに登録する（ステップS126）と共に、前述の選考内容設定画面を試験管理者端末３に送信する（ステップS127）。
【００９３】
試験管理者端末３は、管理サーバ２から送信されてきた選考内容設定画面を表示する（ステップS128）。ここで、試験管理者端末３に対して、試験管理者トップ画面を表示させることを要求するための入力操作を含み、そのことを表す試験管理者トップ画面表示要求情報を管理サーバ２へ送信するための送信操作が行われると、試験管理者端末３は試験管理者トップ画面表示要求情報を管理サーバ２に送信する（ステップS129）。
【００９４】
管理サーバ２は、試験管理者トップ画面表示要求情報を受信すると、前述の試験管理者トップ画面を試験管理者端末３に送信する（ステップS130）。
【００９５】
試験管理者端末３は、管理サーバ２から送信されてきた試験管理者トップ画面を表示する（ステップS131）。試験管理者端末３に対して、１つの選考に対する選考内容の設定完了を行うための入力操作を含み、そのことを表す選考内容設定完了情報を管理サーバ２へ送信するための送信操作が行われると、試験管理者端末３は選考内容設定完了情報を管理サーバ２に送信する（ステップS132）。
【００９６】
管理サーバ２は、選考内容設定完了情報を受信すると、その試験管理者に関する処理状況を示すステータス（試験管理者ステータス）を「設定完了」にする（ステップS133）。なお、この後に、選考内容設定画面が表示される際には、管理サーバ２は、その試験管理者ステータスを「設定完了」と表示する。
【００９７】
次に、申請処理について説明する。申請処理は、受験生が受験生端末６を操作することによって受験生端末６と管理サーバ２とで行われる。
【００９８】
図５は、受験生端末６、および管理サーバ２において実行される申請処理の代表的な処理を表すシーケンス図である。なお、申請処理では、以下に説明する図５に示す処理以外の処理も行われる場合がある。
【００９９】
まず、受験生端末６が管理サーバ２にアクセスすると（ステップS200）、管理サーバ２は受験生ＩＤおよびパスワードを要求する（ステップS201）。具体的には、受験生端末６に受験生用のログイン画面を表示させる。そこで、受験生端末６に対して、受験生ＩＤおよびパスワードの入力を含み、受験生ＩＤおよびパスワードを管理サーバ２へ送信するための送信操作が行われると、受験生端末６は受験生ＩＤおよびパスワードを管理サーバ２に送信する（ステップS202）。
【０１００】
管理サーバ２は、受験生ＩＤおよびパスワードを受信すると、その受験生ＩＤおよびパスワードを受験生情報ＤＢ２３ｅに照会して認証を行う。管理サーバ２の認証が成功すると、管理サーバ２は、受験生トップ画面を試験管理者端末３に送信する（ステップS203）。なお、受験生ＩＤの受験生情報ＤＢ２３ｅへの認証により、管理サーバ２は、何れの受験生がどの大学に対して申請を行おうとしているのかを特定することができる。また、受験生トップ画面の詳細は省略するが、受験生トップ画面は、受験する試験区分を選択するための画面である。
【０１０１】
受験生端末６は、管理サーバ２から送信されてきた受験生トップ画面を表示する（ステップS204）。受験生端末６に対して、試験区分を選択するための入力操作を含み、選択された試験区分を示す選択試験区分情報を管理サーバ２へ送信するための送信操作が行われると、受験生端末６は選択試験区分情報を管理サーバ２に送信する（ステップS205）。
【０１０２】
管理サーバ２は、選択試験区分情報を受信すると、その選択試験区分情報をサーバ記憶部２３の所定領域に記憶する（ステップS206）と共に、その試験区分に応じた選考内容選択画面を受験生端末６に送信する（ステップS207）。なお、この試験区分情報の記憶により、管理サーバ２は、何れの受験生がどの大学のどの試験区分に対する申請を行おうとしているのかを特定することができる。また、選考内容選択画面の詳細は後述するが、選考内容選択画面は、選考内容を選択するための画面である。これは、１つの試験区分に対して選考内容が１または複数設定されるからである。
【０１０３】
受験生端末６は、管理サーバ２から送信されてきた選考内容選択画面を表示する（ステップS208）。受験生端末６に対して、申請する選考内容を選択するための入力操作を含み、選択された選考内容を示す申請選考内容情報を管理サーバ２へ送信するための送信操作が行われると、受験生端末６は申請選考内容情報を管理サーバ２に送信する（ステップS209）。
【０１０４】
管理サーバ２は、申請選考内容情報を受信すると、その申請選考内容情報をサーバ記憶部２３の所定領域に記憶する（ステップS210）と共に、その選考内容に応じた申請画面を受験生端末６に送信する（ステップS211）。なお、この選択選考内容情報の記憶により、管理サーバ２は、何れの受験生がどの大学のどの試験区分のどの選考内容に対する申請を行おうとしているのかを特定することができる。また、申請画面の詳細は後述するが、申請画面は、設問に回答するための画面である。
【０１０５】
受験生端末６は、管理サーバ２から送信されてきた申請画面を表示する（ステップS212）。受験生端末６に対して、設問に対する回答の入力操作を含み、その回答内容を示す回答内容情報を管理サーバ２へ送信するための送信操作が行われると、受験生端末６は回答内容情報を管理サーバ２に送信する（ステップS213）。
【０１０６】
管理サーバ２は、回答内容情報を受信すると、その回答内容情報に基づいて回答情報を生成して回答情報ＤＢ２３ｍに登録する（ステップS214）。
【０１０７】
続けて、受験生端末６に対して、１つの申請の入力を完了、すなわち１つの申請を登録させるための入力操作を含み、そのことを示す申請登録情報を管理サーバ２へ送信するための送信操作が行われると、受験生端末６は申請登録情報を管理サーバ２に送信する（ステップS215）。
【０１０８】
管理サーバ２は、申請登録情報を受信すると、その申請の回答状況を表すステータスである受験生状況ステータスを「登録済」にすると共に、申請一覧画面を受験生端末６に送信する（ステップS216）。なお、申請一覧画面の詳細は後述するが、申請一覧画面は、１つの選考内容に対する申請の一覧を表す画面である。
【０１０９】
受験生端末６は、管理サーバ２から送信されてきた申請一覧画面を表示する（ステップS217）。ここで、受験生端末６に対して、１つの選考内容に対する申請を確定させるための入力操作を含み、そのことを表す申請確定情報を管理サーバ２へ送信するための送信操作が行われると、受験生端末６は申請確定情報を管理サーバ２に送信する（ステップS218）。
【０１１０】
管理サーバ２は、申請確定情報を受信すると、受験生状況ステータスを「確定済」にすると共に、受験生トップ画面を受験生端末６に送信する（ステップS219）。
【０１１１】
次に、採点評価処理について説明する。採点評価処理は、評価担当者が評価担当者端末４を操作することによって評価担当者端末４と管理サーバ２とで行われる。
【０１１２】
図６は、評価担当者端末４、および管理サーバ２において実行される採点評価処理の代表的な処理を表すシーケンス図である。なお、採点評価処理では、以下に説明する図６に示す処理以外の処理も行われる場合がある。
【０１１３】
まず、評価担当者端末４が管理サーバ２にアクセスすると（ステップS300）、管理サーバ２は職員ＩＤおよびパスワードを要求する（ステップS301）。具体的には、評価担当者端末４に評価担当者用のログイン画面を表示させる。そこで、評価担当者端末４に対して、職員ＩＤおよびパスワードの入力を含み、職員ＩＤおよびパスワードを管理サーバ２へ送信するための送信操作が行われると、評価担当者端末４は職員ＩＤおよびパスワードを管理サーバ２に送信する（ステップS302）。
【０１１４】
管理サーバ２は、職員ＩＤおよびパスワードを受信すると、その職員ＩＤおよびパスワードを評価責任者情報ＤＢ２３ｊに照会して認証を行う。管理サーバ２の認証が成功すると、管理サーバ２は、評価担当者トップ画面を評価担当者端末４に送信する（ステップS303）。なお、この職員ＩＤの評価責任者情報ＤＢ２３ｊへの認証により、管理サーバ２は、どの大学の何れの評価担当者が採点評価を行おうとしているのかを特定することができる。また、評価担当者トップ画面の詳細は後述するが、評価担当者トップ画面は、評価する試験区分の選考内容を選択するための画面である。
【０１１５】
評価担当者端末４は、管理サーバ２から送信されてきた評価担当者トップ画面を表示する（ステップS304）。評価担当者端末４に対して、採点評価する選考内容を選択するための入力操作を含み、選択された選考内容を示す評価選考内容情報を管理サーバ２へ送信するための送信操作が行われると、評価担当者端末４は評価選考内容情報を管理サーバ２に送信する（ステップS305）。なお、採点評価される選考内容には、試験区分が関連付けられている。
【０１１６】
管理サーバ２は、評価選考内容情報を受信すると、その評価選考内容情報をサーバ記憶部２３の所定領域に記憶すると共に、その評価選考内容情報が示す試験区分、および選考内容に応じた評価対象一覧画面を評価担当者端末４に送信する（ステップS306）。なお、この評価選考内容情報の記憶により、管理サーバ２は、どの大学の何れの評価担当者がどの試験区分の選考内容の採点評価を行おうとしているのかを特定することができる。また、評価対象一覧画面の詳細は後述するが、評価対象一覧画面は、ある評価担当者のある試験区分の選考内容に対する評価対象の一覧を表示し、評価対象を選択するための画面である。
【０１１７】
評価担当者端末４は、管理サーバ２から送信されてきた評価対象一覧画面を表示する（ステップS307）。評価担当者端末４に対して、評価対象を選択するための入力操作を含み、選択された評価対象を示す選択評価対象情報を管理サーバ２へ送信するための送信操作が行われると、評価担当者端末４は選択評価対象情報を管理サーバ２に送信する（ステップS308）。なお、後述するように選択される評価対象には、申請単位の評価対象と、観点単位の評価対象とがある。
【０１１８】
管理サーバ２は、選択評価対象情報を受信すると、その選択評価対象情報をサーバ記憶部２３の所定領域に記憶すると共に、その評価対象に応じた採点評価画面を評価担当者端末４に送信する（ステップS309）。なお、この選択評価対象情報の記憶により、管理サーバ２は、どの大学の何れの評価担当者がどの試験区分の選考内容の評価対象を採点評価しようとしているのかを特定することができる。また、採点評価画面の詳細は後述するが、採点評価画面は、ある受験生を申請別にまたは観点別に評価するための画面である。
【０１１９】
評価担当者端末４は、管理サーバ２から送信されてきた採点評価画面を表示する（ステップS310）。評価担当者端末４に対して、評価レベルを選択する採点評価の入力操作を含み、その評価内容、具体的には採点した評価レベルを示す評価素点情報を管理サーバ２へ送信するための送信操作が行われると、評価担当者端末４は評価素点情報を管理サーバ２に送信する（ステップS311）。
【０１２０】
管理サーバ２は、評価素点情報を受信すると、その評価素点情報に基づいて個別評価結果情報を生成して個別評価結果情報ＤＢ２３ｎに登録する（ステップS312）。
【０１２１】
基本的に、１人の評価担当者に対して複数の評価対象が割り当てられている。そのため、図６には図示されていないが、管理サーバ２は、１つの評価対象に対する個別評価結果情報を登録して１つの評価対象に対する採点評価が完了すると、順次、別の評価対象に係る採点評価画面を送信する。そして、評価担当者端末４はその採点評価画面を表示し、評価担当者による選択評価対象情報の送信操作を受け付ける。
【０１２２】
また、後述するように、各評価対象に係る採点評価画面が表示されているときに、評価対象一覧画面に戻るための入力操作を行うことが可能である。よって、採点評価が繰り返し行われると、最終的には評価対象一覧画面が表示されることになる（ステップS313〜ステップS314）。
【０１２３】
そして、評価対象一覧画面が表示されている評価担当者端末４に対して、評価中の選考内容に対する評価を確定させるための入力操作を含み、そのことを示す評価確定情報を管理サーバ２へ送信するための送信操作が行われると、評価担当者端末４は評価確定情報を管理サーバ２に送信する（ステップS315）。
【０１２４】
管理サーバ２は、評価確定情報を受信すると、その選考区分の評価状況を表すステータスである評価担当者ステータスを「確定済」にする（ステップS316）。その後、管理サーバ２は、評価担当者端末４からの評価担当者トップ画面の要求に応じて、評価担当者トップ画面を評価担当者端末４に送信する（ステップS317）。なお、管理サーバ２は、各選考内容に対する評価担当者ステータスを「確定済」にするまでは、その選考内容に対する評価担当者ステータスを「未確定」に保持する。
【０１２５】
評価担当者端末４は、管理サーバ２から送信されてきた評価担当者トップ画面を表示する（ステップS318）。以降、その評価担当者が受け持つ全ての選考に対する採点評価が終了するまで、ステップS300〜ステップS318が繰り返して行われる。
【０１２６】
次に、評価変更承認処理について説明する。評価変更承認処理は、評価責任者が評価責任者端末５を操作することによって評価責任者端末５と管理サーバ２とで行われる。
【０１２７】
図７は、評価責任者端末５、および管理サーバ２において実行される評価変更承認処理の代表的な処理を表すシーケンス図である。なお、評価変更承認処理では、以下に説明する図７に示す処理以外の処理も行われる場合がある。
【０１２８】
まず、評価責任者端末５が管理サーバ２にアクセスすると（ステップS400）、管理サーバ２は職員ＩＤおよびパスワードを要求する（ステップS401）。具体的には、評価責任者端末５に管理担当者用のログイン画面を表示させる。そこで、評価責任者端末５に対して、職員ＩＤおよびパスワードの入力を含み、職員ＩＤおよびパスワードを管理サーバ２へ送信するための送信操作が行われると、評価責任者端末５は職員ＩＤおよびパスワードを管理サーバ２に送信する（ステップS402）。
【０１２９】
管理サーバ２は、職員ＩＤおよびパスワードを受信すると、その職員ＩＤおよびパスワードを評価担当者情報ＤＢ２３ｉに照会して認証を行う。管理サーバ２の認証が成功すると、管理サーバ２は、評価責任者トップ画面を評価責任者端末５に送信する（ステップS403）。なお、この職員ＩＤの評価担当者情報ＤＢ２３ｉへの認証により、管理サーバ２は、どの大学の何れの評価責任者が選考内容全体の評価結果の変更または承認を行おうとしているのかを特定することができる。また、評価責任者トップ画面の詳細は後述するが、評価責任者トップ画面は、複数の評価担当者によって行われた採点評価に基づく評価結果を確認し、最終的に承認する選考内容を選択するための画面である。
【０１３０】
評価責任者端末５は、管理サーバ２から送信されてきた評価責任者トップ画面を表示する（ステップS404）。評価責任者端末５に対して、確認する選考内容を選択するための入力操作を含み、選択された選考内容を示す確認選考内容情報を管理サーバ２へ送信するための送信操作が行われると、評価責任者端末５は確認選考内容情報を管理サーバ２に送信する（ステップS405）。なお、確認する選考内容には、試験区分が関連付けられている。
【０１３１】
管理サーバ２は、確認選考内容情報を受信すると、その確認選考内容情報をサーバ記憶部２３の所定領域に記憶すると共に、その選考内容が示す試験区分、および選考内容に応じた評価結果一覧画面を評価責任者端末５に送信する（ステップS406）。なお、この確認選考内容情報の記憶により、管理サーバ２は、どの大学の何れの評価責任者がどの試験区分の選考内容について評価結果を承認あるいは変更しようとしているのかを特定することができる。また、評価結果一覧画面の詳細は後述するが、評価結果一覧画面は、評価結果を承認または評価結果を変更するための画面である。
【０１３２】
評価責任者端末５は、管理サーバ２から送信されてきた評価結果一覧画面を表示する（ステップS407）。評価結果一覧画面では、申請ごとの各観点に対する評価結果（観点別評価結果）、および申請ごとの総合的な評価結果（申請別評価結果）を表す表が表示される。この表は、申請を行で並べ、評価結果（観点別評価結果および申請別評価結果）を列で並べたマトリクスで構成されている。申請と評価結果からなるマスには、評価結果である得点が表示される。評価責任者端末５に対して、申請と評価観点からなるマスを選択するための入力操作を含み、選択されたマスを示す選択評価結果情報を管理サーバ２へ送信するための送信操作が行われると、評価責任者端末５は選択評価結果情報を管理サーバ２に送信する（ステップS408）。
【０１３３】
管理サーバ２は、選択評価結果情報を受信すると、その選択評価結果情報が示す申請および評価観点を示す情報をサーバ記憶部２３の所定領域に記憶すると共に、その申請および評価観点に応じた評価結果詳細小画面を評価責任者端末５に送信する（ステップS409）。なお、この選択評価結果情報の記憶により、管理サーバ２は、どの大学の何れの評価責任者がどの申請の評価観点について評価結果を変更しようとしているのかを特定することができる。また、評価結果詳細小画面の詳細は後述するが、評価結果詳細小画面は、その申請の評価観点についての各評価担当者の個別評価結果を確認すると共に、個別評価結果を変更する入力操作を行うことができる画面である。
【０１３４】
評価責任者端末５は、管理サーバ２から送信されてきた評価結果詳細小画面を評価結果一覧画面に重畳的に表示する（ステップS410）。評価責任者端末５に対して、何れかの評価担当者の個別評価結果である評価レベルを変更するための入力操作を含み、その変更後の評価レベルを示す変更評価レベル情報を管理サーバ２へ送信するための送信操作が行われると、評価責任者端末５は変更評価レベルを管理サーバ２に送信する（ステップS411）。
【０１３５】
管理サーバ２は、変更評価レベル情報を受信すると、その変更評価レベル情報に対応する個別評価結果を変更する（ステップS412）。すなわち、管理サーバ２は、受信した変更評価レベル情報に応じて個別評価結果情報ＤＢ２３ｎに登録されている個別評価結果情報を変更する。さらには、管理サーバ２は、それに応じて観点別評価結果、および申請別評価結果を変更する。すなわち、管理サーバ２は、変更した個別評価結果に応じて、観点別評価結果情報ＤＢ２３ｏに登録されている観点別評価結果情報、および申請別評価結果情報ＤＢ２３ｐに登録されている申請別評価結果情報を変更する。なお、管理サーバ２は、変更評価レベル情報を受信すると、評価責任者端末５に評価結果詳細小画面を消去させる（ステップS413）。
【０１３６】
そして、評価結果一覧画面が表示されている評価責任者端末５に対して、確認中の選考内容に対する評価結果を承認するための入力操作を含み、そのことを示す評価承認情報を管理サーバ２へ送信するための送信操作が行われると、評価責任者端末５は評価承認情報を管理サーバ２に送信する（ステップS414）。
【０１３７】
管理サーバ２は、評価承認情報を受信すると、その選考内容の承認状況を表すステータスである評価責任者ステータスを「承認済」にする（ステップS415）。その後、管理サーバ２は、評価責任者端末５からの評価責任者トップ画面の要求に応じて、評価責任者トップ画面を評価責任者端末５に送信する（ステップS416）。なお、管理サーバ２は、各選考内容に対する評価責任者ステータスを「承認済」にするまでは、その選考内容に対する評価責任者ステータスを「未承認」に保持する。
【０１３８】
評価責任者端末５は、管理サーバ２から送信されてきた評価責任者トップ画面を表示する（ステップS417）。以降、その評価責任者が全ての選考内容の評価結果に対する承認が終了するまで、ステップS400〜ステップS417が繰り返して行われる。
【０１３９】
次に、試験管理者端末３、評価担当者端末４、評価責任者端末５、および受験生端末６で表示される各種画面について、ある程度、上述した設定処理、申請処理、採点評価処理、および評価変更承認処理のシーケンスに沿って説明する。最初に、試験管理者端末３に表示される試験管理者トップ画面、試験区分新規作成画面、選考内容設定画面、評価観点設定画面、設問設定画面、および判定方法詳細設定画面について説明する。
【０１４０】
試験管理者トップ画面は、大学ごとに設定されており、試験管理者のログイン後、最初に表示され、その大学の試験区分の一覧を表す画面である。図８は、試験管理者トップ画面を例示する模式図である。図８に示す試験管理者トップ画面３０には、試験区分一覧表３０１が表示されている。試験区分一覧表３０１は、試験区分を表す項目（試験区分項目）と、各試験区分の設定状況を示す試験管理者ステータスを表す項目（ステータス項目）と、各試験区分の詳細設定または設定完了を行う操作ボタン（試験区分設定ボタン）が設けられた項目（試験区分設定項目）と、試験区分の削除を行う操作ボタン（試験区分削除ボタン）が設けられた項目（試験区分削除項目）とを列で配列して構成している。
【０１４１】
試験区分一覧表３０１では、試験区分項目が基準的な主要項目として位置づけられ、ステータス項目、試験区分設定項目、および試験区分削除項目が試験区分項目に付随する項目として関連付けられている。言い換えると、試験区分一覧表３０１では、試験区分が行を識別するための配列基準となっている。なお、以下において、試験区分一覧表３０１で、試験区分単位で、試験区分と試験管理者ステータス、試験区分設定ボタン、および試験区分削除ボタンとで構成される行を「試験区分レコード３０２」とする。
【０１４２】
試験区分は、一般入試、推薦入試、およびＡＯ入試などの入試方式と、各入試方式に設定された学部・学科とで構成される。なお、第１実施形態では、入試方式が上位の分類群を構成し、学部・学科が下位の分類群を構成する。
【０１４３】
また、試験管理者ステータスとして、選考内容の設定が完了されていない「未設定」と、設定が完了された「設定完了」とがある。さらに、試験管理者ステータスには、後述するように評価責任者によって、その試験区分全体に対して評価が承認された「承認済」と、その試験区分の試験が終了した「終了」とがある。これらの試験管理者ステータスの管理・表示は、管理サーバ２が状況に応じて適宜に行う。
【０１４４】
各試験区分レコード３０２の試験区分設定項目には、詳細ボタン３０２１と、設定完了ボタン３０２２と、が設けられている。すなわち、詳細ボタン３０２１と設定完了ボタン３０２２とで試験区分設定ボタンを構成している。
【０１４５】
詳細ボタン３０２１は、試験区分の詳細事項である選考内容を設定するための入力操作を受け付けることができる。詳細ボタン３０２１に対する入力操作が行われると、試験管理者端末３は、その詳細ボタン３０２１に係る試験区分の選考内容の設定を開始することを示す選考内容設定開始情報を管理サーバ２に送信する。
【０１４６】
管理サーバ２は、選考内容設定開始情報を受信すると、その情報が示す試験区分に対する選考内容の設定が行われていることを示す情報をサーバ記憶部２３の所定領域に記憶すると共に、試験管理者端末３に選考内容設定画面を送信する。試験管理者端末３は、選考内容設定画面を受信すると、選考内容設定画面を表示する。選考内容設定画面について後述する。なお、管理サーバ２は、選考内容設定開始情報を記憶することによって、何れの試験区分について選考内容が設定されているのかを特定することができる。
【０１４７】
設定完了ボタン３０２２は、当該設定完了ボタン３０２２に係る試験区分の設定を完了させるための入力操作を受け付けることができる。設定完了ボタン３０２２に対する入力操作が行われると、その設定完了ボタン３０２２に係る試験区分の設定が完了したことを示す試験区分設定完了情報を管理サーバ２に送信する。
【０１４８】
管理サーバ２は、試験区分設定完了情報を受信すると、その情報が示す試験区分に対するステータスを「未設定」から「設定完了」に変更すると共に、試験管理者端末３にステータス項目の表示を「設定完了」に変更することを示す情報を送信する。試験管理者端末３は、その情報を受信すると、ステータス項目を「未設定」から「設定完了」に変更する。
【０１４９】
試験区分削除ボタン３０２３は、当該試験区分削除ボタン３０２３に係る試験区分を削除するための入力操作を受け付けることができる。試験区分削除ボタン３０２３に対する入力操作が行われると、試験管理者端末３は、その試験区分削除ボタン３０２３に係る試験区分を削除することを示す試験区分削除情報を管理サーバ２に送信する。
【０１５０】
管理サーバ２は、試験区分削除情報を受信すると、試験区分情報ＤＢ２３ｆに登録されているその情報が示す試験区分に係る試験区分情報を削除する。なお、試験区分削除ボタン３０２３の入力操作を受け付けるのは、試験管理者ステータスが「未設定」の場合だけである。また、管理サーバ２は、試験区分削除情報を受信すると、試験管理者端末３に、その情報が示す試験区分に係る試験区分レコード３０２を削除すると共に、それより下に配置されている試験区分レコード３０２を適宜に上側にシフトさせる。
【０１５１】
また、試験管理者トップ画面３０には、ログアウトボタン３０３、および試験区分新規作成ボタン３０４が設けられている。
【０１５２】
ログアウトボタン３０３は、試験管理者トップ画面からログアウトするための入力操作を受け付けることができる。ログアウトボタン３０３に対する入力操作が行われると、試験管理者端末３は、試験管理者用ログイン画面を管理サーバ２に要求する。管理サーバ２は、これに応じて試験管理者端末３に試験管理者用ログイン画面を表示させる。
【０１５３】
試験区分新規作成ボタン３０４は、試験区分の新規作成を開始するための入力操作を受け付けることができる。試験区分新規作成ボタン３０４に対する入力操作が行われると、試験管理者端末３は、管理サーバ２に試験区分新規作成画面を要求する。管理サーバ２は、これに応じて試験管理者端末３に試験区分新規作成画面を表示させる。
【０１５４】
図９は、試験区分新規作成画面を例示する模式図である。図９に示す試験区分新規作成画面３１には、募集区分入力欄３１１と、学部・学科入力欄３１２と、が設けられている。試験管理者は、募集区分入力欄３１１に、所望の募集区分を入力し、学部・学科入力欄３１２に、所望の学部・学科を任意に入力することができる。
【０１５５】
また、試験区分新規作成画面３１には、保存して戻るボタン３１３と、保存せずに戻るボタン３１４と、が設けられている。募集区分入力欄３１１、および学部・学科入力欄３１２に入力されている状態で保存して戻るボタン３１３に対する入力操作が行われると、試験管理者端末３は、募集区分入力欄３１１に入力されている内容を募集区分情報、学部・学科入力欄３１２に入力されている内容を学部・学科情報として送信する。
【０１５６】
募集区分情報、および学部・学科情報が送信されると、前述の通り、管理サーバ２は、募集区分情報、および学部・学科情報に基づいて試験区分情報を生成して試験区分情報ＤＢ２３ｆに登録し、さらには、試験管理者端末３に試験管理者トップ画面を送信する。ただし、ここでの試験管理者トップ画面３０の試験区分一覧表３０１には、新規作成された試験区分が試験区分項目になっている試験区分レコード３０２が追加されている。なお、試験区分レコード３０２の追加方法は適宜に設定される。例えば、試験区分新規作成画面３１が表示される前の試験区分一覧表３０１の一番下の試験区分レコード３０２の下に新しい試験区分レコード３０２が追加されるようにしても良い。
【０１５７】
また、保存せずに戻るボタン３１４に対する入力操作が行われると、試験管理者端末３は、管理サーバ２に対して試験管理者トップ画面を要求する。管理サーバ２は、これに応じて、試験管理者端末３に試験管理者トップ画面を送信する。ただし、ここでの試験管理者トップ画面は、試験区分新規作成画面３１が表示される前の試験管理者トップ画面である。
【０１５８】
次に、前述の選考内容設定画面について説明する。図１０は、選考内容設定画面を例示する模式図である。図１０に示す選考内容設定画面３２には、試験区分表示欄３２０と、選考内容入力欄３２１と、申請件数入力欄３２２と、判定方法区分入力欄３２３と、キャンセルボタン３２４と、追加ボタン３２５と、が設けられている。
【０１５９】
試験区分表示欄３２０は、現在行われている選考内容の設定の対象となる試験区分を表示する。この試験区分は、入力操作された設定完了ボタン３０２２が属する試験区分レコード３０２の試験区分項目の試験区分である。また、試験管理者は、選考内容入力欄３２１に、選考内容の名称を任意に入力し、申請件数入力欄３２２に、１つの選考内容に対して申請可能な最大の申請件数を任意に入力し、判定方法区分入力欄３２３に、判定方法の上位区分である判定方式を入力することができる。
【０１６０】
選考内容とは、例えば、高校生活における活動実績、志望理由、入学してからの学習計画などの選考の主題のことである。また、申請件数とは、例えば選考内容が活動実績である場合は、部活動、ボランティア活動、および資格取得など複数の活動実績を申請可能であるので、１つの選考に対する最大の申請数である。
【０１６１】
また、判定方法区分入力欄３２３は、ラジオボタンで構成されており、判定方法の上位の区分を構成する合算判定とパターン判定の何れか一方を選択可能に構成されている。本実施形態では、選考内容設定画面３２が表示された時に合算判定が選択されている状態になっている。そして、判定方法区分入力欄３２３において、合算判定またはパターン判定の何れか一方を選択操作することが、判定方式を入力することに相当する。
【０１６２】
また、キャンセルボタン３２４に対する入力操作が行われると、試験管理者端末３は、試験管理者トップ画面に戻る旨の情報を管理サーバ２に送信する。管理サーバ２は、この情報を受信すると、試験管理者端末３に試験管理者トップ画面を送信する。
【０１６３】
追加ボタン３２５は、試験区分表示欄３２０が表示する試験区分に係る選考内容を追加するための操作を受け付け可能である。追加ボタン３２５に対する入力操作が行われると、試験管理者端末３は、選考内容入力欄３２１に入力されている内容を選考内容名称情報、申請件数入力欄３２２に入力されている内容を申請数情報、判定方法区分入力欄３２３に入力されている内容を判定方法区分情報として送信する。
【０１６４】
選考内容名称情報、申請数情報、および判定方法区分情報が送信されると、管理サーバ２は、これらの情報に基づいて選考内容情報を生成して選考内容情報ＤＢ２３ｇに登録し、さらには、試験管理者端末３に、後述する選考内容一覧表３２６に、新たに登録した選考内容情報が示す選考内容を追加することを指示する情報を送信する。試験管理者端末３は、その情報を受信すると、選考内容一覧表３２６に、新たに登録した選考内容を表す選考内容レコードを追加する。
【０１６５】
また、選考内容設定画面３２には、選考内容一覧表３２６が表示されている。選考内容一覧表３２６は、選考内容を表す項目（選考内容項目）と、各選考内容に対する申請件数および判定方式を表す項目（申請件数判定方式項目）、各選考内容の詳細の設定状況を示す詳細設定状況ステータスを表す項目（ステータス項目）と、各選考内容の詳細を設定するための操作ボタン（詳細内容設定ボタン）が設けられた項目（詳細内容設定項目）と、設定された選考内容を削除するための操作ボタン（選考内容削除ボタン）が設けられた項目（選考内容削除項目）とを列で配列した表で構成されている。
【０１６６】
選考内容一覧表３２６では、選考内容項目が基準的な主要項目として位置づけられ、申請件数判定方式項目、ステータス項目、詳細内容設定項目、および選考内容削除項目が選考内容項目に付随する項目として関連付けられている。言い換えると、選考内容一覧表３２６では、選考内容が行を識別するための配列基準となっている。なお、以下において、選考内容一覧表３２６で、選考内容単位で、選考内容と、申請件数および判定方式、詳細設定状況ステータス、詳細内容設定ボタン、ならびに選考内容削除ボタンとで構成される行を「選考内容レコード３２７」とする。
【０１６７】
前述のように、選考内容設定画面３２が表示されているときに追加ボタン３２５に対する入力操作が行われると、選考内容レコード３２７が追加される。このとき、追加された選考内容レコード３２７の選考内容項目には、そのときに選考内容入力欄３２１に入力されている内容が表示され、申請件数判定方式項目には、申請件数入力欄３２２に入力されている内容、および判定方法区分入力欄３２３に入力されている内容が縦に並んで表示される。また、詳細内容設定項目には詳細内容設定ボタン３２７１が設けられ、選考内容削除項目には選考内容削除ボタン３２７２が設けられている。さらに、ステータス項目には後述する「未設定」が表示される。
【０１６８】
詳細設定状況ステータスとして、選考内容の詳細設定が完了されていない「未設定」と、設定が完了された「設定完了」とがある。さらに、詳細設定状況ステータスには、後述するように評価責任者によって、その試験区分全体に対して評価が承認された「承認済」と、その試験区分の試験が終了した「終了」とがある。これらの試験管理者ステータスの管理・表示は、管理サーバ２が状況に応じて適宜に行う。
【０１６９】
詳細内容設定項目には、選考内容ごとにその選考内容の詳細の設定を開始するための操作を受け付け可能な詳細内容設定ボタン３２７１が設けられている。詳細内容設定ボタン３２７１に対する入力操作が行われると、試験管理者端末３は、その詳細内容設定ボタン３２７１に係る試験区分の選考内容の詳細設定を開始することを示す選考内容詳細設定開始情報を管理サーバ２に送信する。
【０１７０】
管理サーバ２は、選考内容詳細設定開始情報を受信すると、その情報が示す試験区分に対する選考内容の設定が行われていることを示す情報をサーバ記憶部２３の所定領域に記憶すると共に、試験管理者端末３に選考内容詳細設定画面を送信する。試験管理者端末３は、選考内容詳細設定画面を受信すると、選考内容詳細設定画面を表示する。選考内容詳細設定画面について後述する。なお、管理サーバ２は、選考内容詳細設定開始情報を記憶することによって、どの選考内容の詳細設定が行われているのかを特定することができる。
【０１７１】
また、詳細内容削除項目には、選考内容ごとに選考内容そのものを削除するための操作を受け付け可能な選考内容削除ボタン３２７２が設けられている。選考内容削除ボタン３２７２は、当該選考内容削除ボタン３２７２に係る選考内容を削除するための入力操作を受け付けることができる。選考内容削除ボタン３２７２に対する入力操作が行われると、試験管理者端末３は、その選考内容削除ボタン３２７２に係る選考内容を削除することを示す選考内容削除情報を管理サーバ２に送信する。
【０１７２】
管理サーバ２は、選考内容削除情報を受信すると、選考内容情報ＤＢ２３ｇに登録されているその情報が示す選考内容に係る選考内容情報を消去する。なお、選考内容削除ボタン３２７２の入力操作を受け付けるのは、詳細設定状況ステータスが「未設定」の場合だけである。また、管理サーバ２は、選考内容削除情報を受信すると、試験管理者端末３に、その情報が示す選考内容に係る選考内容レコード３２７を削除すると共に、それより下に配置されている選考内容レコード３２７を適宜に上側にシフトさせる。
【０１７３】
また、選考内容一覧表３２６の直下には試験管理者画面トップへ戻るボタン３２８が設けられている。試験管理者端末３は、試験管理者画面トップへ戻るボタン３２８に対する入力操作が行われると、管理サーバ２に試験管理者トップ画面を要求する。これに応じて、管理サーバ２は、試験管理者端末３に試験管理者トップ画面を送信する。そして、試験管理者端末３は、選考内容設定画面３２から試験管理者トップ画面３０に切り替える。
【０１７４】
次に、選考内容詳細設定画面について説明する。図１１は、選考内容詳細設定画面を例示する模式図である。図１１に示す選考内容詳細設定画面３３には、試験区分・選考内容表示欄３３０と、選考内容の詳細を設定するための表示領域（選考内容詳細設定表示領域）３３１と、が設けられている。
【０１７５】
選考内容詳細設定表示領域３３１はウィンドウで構成されている。詳細には、選考内容詳細設定表示領域３３１は、評価観点の設定を行うページ（以下、「評価観点設定ページ」という）、評価者の設定を行うページ（以下、「評価者設定ページ」という）、設問の設定を行うページ（以下、「設問設定ページ」という）、および判定方法の詳細設定を行うページ（以下、「判定方法設定ページ」という）を切り替えて表示させることが可能に構成されている。言い換えると、選考内容詳細設定表示領域３３１において、評価観点設定ページ、評価者設定ページ、設問設定ページ、および判定方法設定ページの何れかのページが表示される。
【０１７６】
試験区分・選考内容表示欄３３０は、評価観点設定画面、評価者設定画面、設問設定画面、および判定方法設定画面の何れが表示されているときでも表示される。試験区分・選考内容表示欄３３０には、現在行われている選考内容の詳細の設定の対象となる試験区分が表示される試験区分領域３３０１と、現在行われている選考内容の詳細設定の対象となる選考内容が表示される選考内容領域３３０２とが設けられている。
【０１７７】
選考内容詳細設定表示領域３３１には、タブとして機能する評価観点設定タブ３４０、評価者設定タブ３５０、設問設定タブ３６０、および判定方法設定タブ３７０とが表示されている。
【０１７８】
評価観点設定タブ３４０、評価者設定タブ３５０、設問設定タブ３６０、および判定方法設定タブ３７０は、評価観点設定ページ、評価者設定ページ、設問設定ページ、および判定方法設定ページの何れが表示されているときでも表示されており、各ページに切り替えるための操作を受け付け可能に構成されている。
【０１７９】
評価観点設定タブ３４０が入力操作されると、試験管理者端末３は、管理サーバ２に対して評価観点設定ページへの切り替えを要求する。これにより、管理サーバ２は試験管理者端末３に評価観点設定ページを表示させる。同様に、評価者設定タブ３５０、設問設定タブ３６０、または判定方法設定タブ３７０が入力操作されると、試験管理者端末３は、管理サーバ２に対して評価者設定ページ、設問設定ページ、または判定方法設定ページへの切り替えを要求する。これにより、管理サーバ２は試験管理者端末３に評価者設定ページ、設問設定ページ、または判定方法設定ページを表示させる。
【０１８０】
図１１に示すように、本実施形態では、最初に選考内容詳細設定画面３３が表示されたときには、初期状態として、選考内容詳細設定表示領域３３１に評価観点設定ページ３４が表示される。図１１に示す評価観点設定ページ３４には、評価観点番号表示欄３４１と、観点名入力欄３４２と、評価レベル一覧表３４３と、評価レベルレコード３４４と、評価レベル追加ボタン３４５と、評価観点追加ボタン３４６と、評価観点削除ボタン３４７と、保存して次の設定へ進むボタン３４８と、保存して選考内容設定へ戻るボタン３４９と、が含まれている。
【０１８１】
評価観点番号表示欄３４１には、評価観点を識別するための評価観点番号が表示される。また、当該評価観点番号表示欄３４１からその下方に表示される評価レベル追加ボタン３４５の少し下までの範囲を実線で囲んだ部分３４−１は、当該評価観点番号表示欄３４１に表示される１つの評価観点の設定内容を表す。なお、以下において、この実線で囲んだ部分３４−１のことを「評価観点内容表示領域３４−１」という。
【０１８２】
また、試験管理者は、観点名入力欄３４２に、評価観点の名称を任意に入力することができる。
【０１８３】
評価レベル一覧表３４３は、評価レベルを表す項目（評価レベル項目）と、各評価レベルに対する評価基準を表す項目（評価基準項目）、各評価レベルに対する補足事項を表す項目（補足事項項目）と、各評価レベルの設定内容を削除するための削除ボタン（評価レベル削除ボタン）が設けられた項目（評価レベル削除項目）とを列で配列した表で構成されている。
【０１８４】
評価レベル一覧表３４３では、評価レベル項目が基準的な主要項目として位置づけられ、評価基準項目、補足事項項目、および評価レベル削除項目が評価レベル項目に付随する項目として関連付けられている。言い換えると、評価レベル一覧表３４３では、評価レベルが行を識別するための配列基準となっている。なお、以下において、評価レベル一覧表３４３で、評価レベル単位で、評価レベルと評価基準、補足事項、および評価レベル削除ボタンとで構成される行を「評価レベルレコード３４４」とする。
【０１８５】
評価レベルレコード３４４を構成する評価レベル項目には、評価レベル入力欄３４４１が設けられている。試験管理者は、評価レベル入力欄３４４１に、例えば「５」、「１」などの評価レベルを任意に入力することができる。
【０１８６】
また、評価レベルレコード３４４を構成する評価基準項目には、評価基準入力欄３４４２が設けられている。試験管理者は、評価基準入力欄３４４２に、対応する評価レベルに対する評価基準の説明文を任意に入力することができる。
【０１８７】
さらに、評価レベルレコード３４４を構成する補足事項項目には、補足事項入力欄３４４３が設けられている。試験管理者は、補足事項入力欄３４４３に、「ぜひ入学させたい」や「入学させてもよい」などの評価レベルに対する評価基準の補足事項を任意に入力することができる。
【０１８８】
評価レベルレコード３４４を構成する評価レベル削除項目には、評価レベル削除ボタン３４４４が設けられている。評価レベル削除ボタン３４４４に対する入力操作が行われると、試験管理者端末３は、管理サーバ２に対して、その評価レベル削除ボタン３４４４が含まれる評価レベルレコード３４４の削除を要求する。これにより、管理サーバ２は、試験管理者端末３にその評価レベルレコード３４４を削除させると共に、それより下に配されていた評価レベルレコード３４４を適宜にシフトさせる。
【０１８９】
評価レベル追加ボタン３４５に対する入力操作が行われると、試験管理者端末３は、管理サーバ２に対して、新たな評価レベルレコード３４４の追加を要求する。これにより、管理サーバ２は、試験管理者端末３に、その評価レベル一覧表３４３の中で一番下に配されている評価レベルレコード３４４の下に新たな評価レベルレコード３４４を追加させる。
【０１９０】
なお、評価レベル追加ボタン３４５に対する入力操作は、評価レベルを追加するための操作を構成している。また、新たに追加された評価レベルレコード３４４に含まれる評価レベル入力欄３４４１、評価基準入力欄３４４２、および補足事項入力欄３４４３はブランク状態である。
【０１９１】
また、評価観点追加ボタン３４６に対する入力操作が行われると、試験管理者端末３は、管理サーバ２に対して、新たな評価観点内容表示領域３４−１の追加を要求する。これにより、管理サーバ２は、試験管理者端末３に、その評価観点設定ページ３４の中で一番下に配されている評価レベル一覧表３４３と評価観点追加ボタン３４６との間に挿入させるように評価観点内容表示領域３４−１を追加させる。
【０１９２】
例えば、図１１に示す状況で、評価観点追加ボタン３４６に対する入力操作が行われると、図１２に示すように評価観点内容表示領域３４−１が追加される。図１２に示すように、追加された評価観点内容表示領域３４−１の評価観点番号表示欄３４１に表示される評価観点番号は、評価観点の表示順に対応している。
【０１９３】
なお、評価観点追加ボタン３４６に対する入力操作は、評価観点を追加するための操作を構成している。また、新たに追加された評価観点内容表示領域３４−１に含まれる観点名入力欄３４２、評価レベル入力欄３４４１、評価基準入力欄３４４２、および補足事項入力欄３４４３はブランク状態である。
【０１９４】
また、評価観点削除ボタン３４７は、評価観点番号表示欄３４１の中に設けられている。評価観点削除ボタン３４７は、その評価観点削除ボタン３４７が設けられている評価観点番号表示欄３４１が表示している評価観点番号に係る評価観点内容表示領域３４−１を削除する操作を受け付け可能である。
【０１９５】
評価観点削除ボタン３４７に対する入力操作が行われると、試験管理者端末３は、管理サーバ２に対して、その評価観点削除ボタン３４７に係る評価観点番号に係る評価観点内容表示領域３４−１の消去を要求する。これに応じて、管理サーバ２は、試験管理者端末３に、その評価観点内容表示領域３４−１を削除すると共に、それより下の部分を適宜にシフトする。
【０１９６】
また、保存して次の設定へ進むボタン３４８に対する入力操作が行われると、試験管理者端末３は、管理サーバ２に対して、その旨を示す情報、および現在表示されている評価観点設定ページ３４に対して入力された内容を示す情報を管理サーバ２に送信する。具体的に、評価観点設定ページ３４に対して入力された内容を示す情報は、観点名入力欄３４２に入力されている内容を示す評価観点名称情報、評価レベル入力欄３４４１に入力されている内容を示す評価レベル情報、評価基準入力欄３４４２に入力されている内容を示す評価レベル基準情報、および補足事項入力欄３４４３に入力されている内容を示す評価レベル補足情報で構成される。
【０１９７】
ここで、評価観点名称情報は評価観点番号に関連付けられている。また、評価レベル情報、評価レベル基準情報、および評価レベル補足情報は、評価観点番号、および評価レベルに関連付けられている。
【０１９８】
管理サーバ２は、評価観点名称情報、評価レベル情報、評価レベル基準情報、および評価レベル補足情報を受信すると、これらの情報に基づいて、評価観点情報を生成して評価観点情報ＤＢ２３ｈに登録すると共に、評価者の選定を行うための評価者設定画面に切り替える旨の情報を試験管理者端末３に送信する。これに応じて、試験管理者端末３は、評価者設定画面に切り替える。なお、評価者設定画面については後述する。
【０１９９】
また、保存して選考内容設定へ戻るボタン３４９に対する入力操作が行われると、試験管理者端末３は、保存して次の設定へ進むボタン３４８の場合と同様に、評価観点名称情報、評価レベル情報、評価レベル基準情報、および評価レベル補足情報を管理サーバ２に送信する。そして、管理サーバ２も、保存して次の設定へ進むボタン３４８の場合と同様に、評価観点情報を生成して評価観点情報ＤＢ２３ｈに登録する。また、管理サーバ２は、選考内容詳細設定画面３３が表示される前の選考内容設定画面３２を送信する。これに応じて、試験管理者端末３は、選考内容詳細設定画面３３から、その選考内容設定画面３２に切り替える。
【０２００】
（評価者設定ページ）
図１３は、評価者設定ページが表示されているときの選考内容詳細設定画面を例示する模式図である。図１３に示す評価者設定ページ３５は評価者設定ページの初期状態を表している。評価者設定ページ３５には、評価者設定タブ３５０と、評価責任者入力欄３５１と、評価担当者・観点一覧表３５２と、評価担当者・観点レコード３５３と、評価担当者追加ボタン３５４と、保存して次の設定へ進むボタン３５５と、保存して選考内容設定へ戻るボタン３５６と、が含まれている。
【０２０１】
試験管理者は、評価責任者入力欄３５１に、評価責任者を任意に入力することができる。ここでは、例えば、職員ＩＤなどの管理サーバ２に格納されている情報に応じた情報で入力される。
【０２０２】
評価担当者・観点一覧表３５２は、評価担当者を表す項目（評価担当者項目）と、各評価担当者が採点評価を行い得る全ての評価観点を表す項目（評価観点項目）、各評価担当者の設定内容を削除するため操作ボタンが設けられた項目（評価担当者削除項目）とを列で配列した表で構成されている。
【０２０３】
評価担当者・観点一覧表３５２では、評価担当者項目が基準的な主要項目として位置づけられ、評価観点項目、および評価担当者削除項目が評価担当者項目に付随する項目として関連付けられている。言い換えると、評価担当者・観点一覧表３５２では、評価担当者が行を識別するための配列基準となっている。なお、以下において、評価担当者一覧表３５２で、評価担当者単位で、評価担当者と評価観点、および評価担当者削除ボタンとで構成される行を「評価担当者・観点レコード３５３」とする。
【０２０４】
評価担当者・観点レコード３５３を構成する評価担当者項目には、評価担当者入力欄３５３１が設けられている。試験管理者は、評価担当者入力欄３５３１に、評価担当者を任意に入力することができる。ここでは、例えば、職員ＩＤなどの管理サーバ２に格納されている情報に応じた情報で入力される。
【０２０５】
また、評価担当者・観点レコード３５３を構成する評価観点項目は、前述の評価観点設定ページ３４が表示されているときに設定された評価観点に対応付けられている。例えば、評価観点が５つ設定されていれば、図１３に示すように、評価担当者・観点レコード３５３に、評価観点１〜評価観点５の５つの評価観点項目が含まれることになる。なお、図１３では、評価観点１〜評価観点５は、「観点１・観点２・観点３・観点４・観点５」と表示されている。
【０２０６】
各評価観点項目には、評価観点選択欄３５３２が設けられている。試験管理者は、各評価観点選択欄３５３２に対して評価観点を選択するための入力操作を行うことができる。ここでは、各評価観点選択欄３５３２はチェックボックスで構成されており、そこに入力操作が行われる度に所定のチェックマークの入力と解除が繰り返される。チェックマークが入力されている状態が、その評価観点選択欄３５３２に対応する評価観点が選択されていることを表す。
【０２０７】
評価担当者・観点レコード３５３を構成する評価担当者削除項目には、削除ボタン３５３３が設けられている。削除ボタン３５３３に対する入力操作が行われると、試験管理者端末３は、管理サーバ２に対して、その削除ボタン３５３３が含まれる評価担当者・観点レコード３５３の削除を要求する。これにより、管理サーバ２は、試験管理者端末３にその評価担当者・観点レコード３５３を削除させて、それより下に配されていた評価担当者・観点レコード３５３を適宜にシフトする。
【０２０８】
また、評価担当者追加ボタン３５４に対する入力操作が行われると、試験管理者端末３は、管理サーバ２に対して、新たな評価担当者・観点レコード３５３の追加を要求する。これにより、管理サーバ２は、試験管理者端末３に、評価観点設定ページ３４に表示されている評価担当者・観点レコード３５３の中で一番下に配されている評価担当者・観点レコード３５３の下に新たな評価担当者・観点レコード３５３を追加させる。
【０２０９】
なお、評価担当者追加ボタン３５４に対する入力操作は、評価担当者を追加するための操作を構成している。また、新たに追加された評価担当者・観点レコード３５３に含まれる評価担当者入力欄３５３１、および評価観点選択欄３５３２はブランク状態である。
【０２１０】
また、保存して次の設定へ進むボタン３５５に対する入力操作が行われると、試験管理者端末３は、管理サーバ２に対して、その旨を示す情報、および評価者設定ページ３５に対して入力されている内容を示す情報、具体的には、評価責任者入力欄３５１に入力されている内容を示す職員ＩＤ、評価担当者入力欄３５３１に入力されている内容を示す職員ＩＤ、および評価観点選択欄３５３２がチェックされている評価観点を示す情報（担当観点情報）を管理サーバ２に送信する。ここで、担当観点情報は、対応する評価担当者の職員ＩＤに関連付けられて送信される。
【０２１１】
管理サーバ２は、これらの情報を受信すると、評価責任者情報を生成して評価責任者情報ＤＢ２３ｊに登録し、評価担当者情報を生成して評価担当者情報ＤＢ２３ｉに登録すると共に、設問の設定を行うための設問設定ページに切り替える旨を送信する。これに応じて、試験管理者端末３は、評価者設定ページ３５から設問設定ページ３６に切り替える。なお、設問設定ページについては後述する。
【０２１２】
保存して選考内容設定へ戻るボタン３５６に対する入力操作が行われると、試験管理者端末３は、保存して次の設定へ進むボタン３５５の場合と同様に、評価責任者を示す職員ＩＤ、評価担当者を示す職員ＩＤ、および担当観点情報を管理サーバ２に送信する。管理サーバ２は、これらの情報を受信すると、保存して次の設定へ進むボタン３５５の場合と同様に、評価責任者情報を生成して評価責任者情報ＤＢ２３ｊに登録し、評価担当者情報を生成して評価担当者情報ＤＢ２３ｉに登録する。そして、管理サーバ２は、選考内容詳細設定画面３３が表示される前の選考内容設定画面３２を送信する。これに応じて、試験管理者端末３は、選考内容詳細設定画面３３から選考内容設定画面３２に切り替える。
【０２１３】
（設問設定ページ）
図１４は、ウィンドウが設問設定ページに切り替えられたときの選考内容詳細設定画面３３の例示である。図１４に示す設問設定ページ３６には、設問設定タブ３６０と、設問番号表示欄３６１と、設問タイトル入力欄３６２と、教示文入力欄３６３と、入力エリア最大文字数入力欄３６４と、対応観点入力欄３６５と、設問追加ボタン３６６と、設問削除ボタン３６７と、保存して次の設定へ進むボタン３６８と、保存して選考内容設定へ戻るボタン３６９と、が含まれている。
【０２１４】
設問番号表示欄３６１には、設問１、設問２、・・・などの設問を識別するための設問番号が表示される。また、設問番号表示欄３６１からその下方に表示される設問追加ボタン３６６の少し下までの範囲を実線で囲んだ部分３６−１は、当該設問番号表示欄３６１に表示される１つの設問の設定内容を表す。なお、以下において、この実線で囲んだ部分３６−１のことを「設問内容表示領域３６−１」という。
【０２１５】
また、試験管理者は、設問のタイトルを設問タイトル入力欄３６２に任意に入力することができる。さらに、試験管理者は、設問の内容を説明するための教示文を教示文入力欄３６３に任意に入力することができる。加えて、試験管理者は、受験生の設問に対する回答の最大文字数を入力エリア最大文字数入力欄３６４に任意に入力することができる。
【０２１６】
対応観点入力欄３６５は、当該設問に対する評価観点を選択するために設けられている。対応観点入力欄３６５で選択可能な評価観点は、評価観点設定ページ３４が表示されているときに設定された評価観点番号および評価観点の名称に対応付けられている。
【０２１７】
対応観点入力欄３６５には、評価観点毎にチェックボックスが設けられている。図１４では、評価観点番号順に左から右に並んでいる。各評価観点に対応するチェックボックスに入力操作が行われる所定のチェックマークの入力と解除が繰り返される。チェックマークが入力されている状態が、その評価観点が選択されていることを表す。なお、本実施形態では、１つの対応観点入力欄３６５に対して複数のチェックボックスを選択することが可能である。
【０２１８】
設問追加ボタン３６６は、設問を追加する操作を行うために設けられている。設問追加ボタン３６６に対する入力操作が行われると、試験管理者端末３は、管理サーバ２に対して、設問の追加を要求する。これに応じて、管理サーバ２は、試験管理者端末３に、その設問追加ボタン３６６に係る設問内容表示領域３６−１と、保存して次の設定へ進むボタン３６８との間に、設問内容表示領域３６−１を割り込むように追加させる。
【０２１９】
なお、新たに追加された設問内容表示領域３６−１に含まれる設問番号表示欄３６１の設問番号は設問設定ページ３６に表示されている設問内容表示領域３６−１の表示順に応じた番号である。例えば、新たに追加された設問内容表示領域３６−１が、上から２つ目であればその設問番号は「設問２」となり、上から５つ目であればその設問番号は「設問５」となる。また、新たに追加された設問内容表示領域３６−１に設けられている設問タイトル入力欄３６２、教示文入力欄３６３、入力エリア最大文字数入力欄３６４、および対応観点入力欄３６５はブランク状態である。
【０２２０】
設問削除ボタン３６７は、設問番号表示欄３６１の中に設けられている。設問削除ボタン３６７は、その設問削除ボタン３６７が設けられている設問番号表示欄３６１が表示している設問番号の設問そのもの、具体的にはその設問番号に係る設問内容表示領域３６−１を削除する操作を受け付け可能に構成されている。
【０２２１】
設問削除ボタン３６７に対する入力操作が行われると、試験管理者端末３は、管理サーバ２に対して、その設問削除ボタン３６７に係る設問番号の設問内容表示領域３６−１の削除を要求する。これに応じて、管理サーバ２は、試験管理者端末３に、その設問削除ボタン３６７に係る設問番号の設問内容表示領域３６−１を削除させると共に、それより下の部分を適宜にシフトさせる。
【０２２２】
また、保存して次の設定へ進むボタン３６８に対する入力操作が行われると、試験管理者端末３は、管理サーバ２に対して、その旨を示す情報、および設問設定ページ３６に対して入力された内容を示す情報、具体的には、設問内容表示領域３６−１毎に、設問番号を示す情報（設問番号情報）、設問タイトル入力欄３６２に入力されている内容を示す情報（設問タイトル情報）、教示文入力欄３６３に入力されている内容を示す情報（教示文情報）、入力エリア最大文字数入力欄３６４に入力されている内容を示す情報（最大文字数情報）、および対応観点入力欄３６５でチェックされている評価観点を示す情報（対応観点情報）を管理サーバ２に送信する。なお、設問タイトル情報、教示文情報、最大文字数情報、および対応観点情報は対応する設問番号情報と関連付けられて送信される。
【０２２３】
管理サーバ２は、これらの情報を受信すると、これらの情報に基づいて設問情報を生成して設問情報ＤＢ２３ｋに登録すると共に、判定方法の詳細設定を行うための判定方法設定ページに切り替える旨を送信する。これに応じて、試験管理者端末３は、判定方法設定ページに切り替える。なお、判定方法設定ページについては後述する。
【０２２４】
また、保存して選考内容設定へ戻るボタン３６９に対する入力操作が行われると、試験管理者端末３は、保存して次の設定へ進むボタン３６８の場合と同様に、設問番号情報、設問タイトル情報、教示文情報、最大文字数情報、および対応観点情報を管理サーバ２に送信する。管理サーバ２は、これらの情報を受信すると、保存して次の設定へ進むボタン３６８の場合と同様に、設問情報を生成して設問情報ＤＢ２３ｋに登録する。また、管理サーバ２は、当該選考内容詳細設定画面３３が表示される前の選考内容設定画面３２を送信する。これに応じて、試験管理者端末３は、選考内容詳細設定画面３３から選考内容設定画面３２に切り替える。
【０２２５】
（判定方法設定ページ：合算判定）
次に、判定方法設定ページについて説明する。判定方法設定ページは、前述の選考内容設定において選択された判定方法が合算判定であるかパターン判定であるかで異なる。判定方法によって、判定方法の詳細設定が異なるからである。最初に、合算判定の場合の判定方法設定ページについて説明する。図１５は、ウィンドウで合算判定の判定方法設定ページに切り替えられたときの選考内容詳細設定画面３３の例示である。
【０２２６】
図１５に示す合算判定の判定方法設定ページ３７には、判定方法設定タブ３７０と、判定詳細設定選択欄３７１と、保存して選考内容設定へ戻るボタン３７２と、が含まれている。
【０２２７】
判定詳細設定選択欄３７１は、合算判定の詳細な判定方法を選択操作するために設けられている。判定詳細設定選択欄３７１には、合算判定の詳細な判定方法に対応付けられたチェックボックスが含まれている。図１５では、２つの合算判定の詳細な判定方法が左右に並んでいる。具体的には、評価観点別に評価担当者全員の合計点を算出する方法（左側）と、その合計点から平均点を算出する方法（右側）である。判定方法設定ページ３７が表示されたときには、左側のチェックボックスにチェックマークが付されており、左側の詳細な判定方法が選択されている状態になっている。以降は、ブランクになっているチェックボックスに入力操作が行われると、チェックマークがそちらのチェックボックスに移動し、選択されている詳細な判定方法が切り替わる。すなわち、何れか一方の詳細な判定方法しか選択できないようになっている。
【０２２８】
保存して選考内容設定へ戻るボタン３７２に対する入力操作が行われると、試験管理者端末３は、その旨を示す情報、および現在選択されている詳細な判定方法を示す情報（判定方法詳細情報）を管理サーバ２に送信する。管理サーバ２は、これらの情報を受信すると、判定方法詳細情報に基づいて判定方法情報を生成して判定方法情報ＤＢ２３ｌに登録すると共に、当該選考内容詳細設定画面３３が表示される前の選考内容設定画面３２を送信する。これに応じて、試験管理者端末３は、選考内容詳細設定画面３３から選考内容設定画面３２に切り替える。
【０２２９】
（判定方法設定ページ：パターン判定）
次に、パターン判定の場合の判定方法設定ページについて説明する。図１６は、ウィンドウでパターン判定の判定方法設定ページに切り替えられたときの選考内容詳細設定画面３３の例示である。
【０２３０】
図１６に示すパターン判定の判定方法設定ページ３８には、判定方法設定タブ３７０と、採点協議選択欄３８１と、重み入力欄３８２と、保存して選考内容設定へ戻るボタン３８３と、が含まれている。
【０２３１】
採点協議選択欄３８１は、パターン判定の詳細な判定方法を選択操作するために設けられている。パターン判定は、個別評価結果である評価レベルと各評価レベルを評価した人数との組み合わせパターンで得点を算出する判定方法である。そして、基本的にはその組み合わせパターンに得点が対応付けられるが、採点された評価レベルのバラつきが大きい場合は評価責任者に判断を委ねる協議となる。そこで、パターン判定の詳細設定として、組み合わせに得点を対応付ける得点判定と、評価責任者に判断を委ねる協議判定とがある。
【０２３２】
なお、図１６では、組み合わせパターンを構成する評価レベルが１〜４の４段階であり、評価担当者の人数が３名を前提としており、表中の一番上を除く行が１つの組み合わせパターンを表している。
【０２３３】
採点協議選択欄３８１は、ラジオボタンで構成されており、パターン判定の詳細設定に対応付けられた選択肢が含まれている。図１６では、各組み合わせパターンに対して、左側に配された得点判定用の選択肢と、右側に配された協議判定用の選択肢とが含まれている。判定方法設定ページ３８が表示されたときには、左側の選択肢（得点判定用の選択肢）にチェックマークが付されており、左側の詳細設定が選択されている状態になっている。以降は、ブランクになっている選択肢に入力操作が行われると、選択肢がそちらの選択肢に移動し、選択されている詳細な判定方法が切り替わる。すなわち、何れか一方の詳細な判定方法しか選択できないようになっている。
【０２３４】
重み入力欄３８２は、得点判定用の選択肢がチェックされているときに、その組み合わせパターンに対応付ける得点を任意に入力することが可能である。
【０２３５】
保存して選考内容設定へ戻るボタン３８３に対する入力操作が行われると、試験管理者端末３は、その旨を示す情報、および現在選択されている詳細設定を示す情報（判定方法詳細情報）を管理サーバ２に送信する。管理サーバ２は、これらの情報を受信すると、判定方法詳細情報に基づいて判定方法情報を判定方法情報ＤＢ２３ｌに登録すると共に、当該選考内容詳細設定画面３３が表示される前の選考内容設定画面３２を送信する。これに応じて、試験管理者端末３は、選考内容詳細設定画面３３から選考内容設定画面３２に切り替える。
【０２３６】
次に、受験生端末６に表示される選考内容選択画面、基本情報入力画面、設問回答入力画面、および申請一覧画面について説明する。
【０２３７】
選択内容選択画面は、受験生がログインして受験生トップ画面（図示無し）で試験区分を選択した後に表示され、その試験区分に設定された選考内容の一覧を表す画面である。図１７は、選択内容選択画面を例示する模式図である。
【０２３８】
ここでは、試験管理者端末３による選考内容設定処理において、ある試験区分の選考内容として、特色加点、および志望理由が設定されたと仮定する。そのことに応じて、管理サーバ２は、受験生端末６に、選択内容選択画面６０が表示される際に、特色加点に回答するための特色加点回答ボタン６０１、および志望理由に回答するための志望理由回答ボタン６０２を表示させている。
【０２３９】
なお、特色加点回答ボタン６０１、および志望理由回答ボタン６０２のように、選考内容に回答するための操作を受け付け可能なボタンに表示される選考内容の名称（特色加点や志望理由）やその数は、試験管理者端末３による選考内容設定処理に応じて変更される。
【０２４０】
特色加点回答ボタン６０１、または志望理由回答ボタン６０２が入力操作されると、受験生端末６は、管理サーバ２に、その旨を示す情報を送信する。管理サーバ２は、その情報を受信すると、その情報が示す選考内容をサーバ記憶部２３の所定領域に記憶すると共に、設問情報ＤＢ２３ｋに登録されている設問情報に基づいて、その選考内容に回答するための画面を受験生端末６に送信する。試験管理者端末３は、選考内容に回答するための画面を受信すると、その画面を表示する。
【０２４１】
また、図１７に示す選択内容選択画面６０には、特色加点回答ボタン６０１、および志望理由回答ボタン６０２の他にログアウトボタン６０３が設けられている。ログアウトボタン６０３に対する入力操作が行われると、受験生端末６は、受験生用のログイン画面（図示無し）を管理サーバ２に要求する。管理サーバ２は、これに応じて受験生端末６に受験生用のログイン画面を表示させる。なお、受験生のログイン画面は、申請／評価支援システム１によって受験するために、受験生に受験生ＩＤ、およびパスワードを入力させてログインさせる画面である。
【０２４２】
次に、選考内容に回答するための画面について説明する。この画面は選考内容によって異なる。ここでは、図１７の特色加点回答ボタン６０１に対する入力操作が行われ、特色加点に回答すると仮定して、特色加点に回答するための画面（以下、「特色加点回答画面」という）について説明する。
【０２４３】
図１８は、特色加点回答ボタン６０１に対する入力操作が行われて、最初に表示される特色加点回答画面を例示する模式図である。図１８に示す特色加点回答画面は、受験生が特色加点に回答するために申請する経験の基本情報を入力するための画面である。そこで、図１８に示す特色加点回答画面を、特色加点基本情報回答画面６１とする。
【０２４４】
特色加点基本情報回答画面６１には、名称入力欄６１１、活動期間入力欄６１２、保存せずに戻るボタン６１３、一時保存ボタン６１４、および一時保存して次に進むボタン６１５が設けられている。
【０２４５】
受験生は、例えば、申請の題材となる活動・実績などの名称を名称入力欄６１１に任意に入力することができる。活動・実績としては、例えば、部活動、資格取得、受賞、およびボランティア活動などがある。さらに、受験生は、その活動・実績などの活動期間を活動期間入力欄６１２に任意に入力することができる。
【０２４６】
保存せずに戻るボタン６１３に対する入力操作が行われると、受験生端末６は、管理サーバ２に対して、１つ前の画面である選択内容選択画面６０を要求する。これに応じて、管理サーバ２は、受験生端末６に選択内容選択画面６０を送信する。そして、受験生端末６は、特色加点基本情報回答画面６１から選択内容選択画面６０に切り替える。
【０２４７】
一時保存ボタン６１４に対する入力操作が行われると、受験生端末６は、管理サーバ２に対して、その旨を示す情報、および特色加点基本情報回答画面６１に対して入力されている内容を示す情報、具体的には、名称入力欄６１１に入力されている内容を示す情報（活動・実績名称情報）、および活動期間入力欄６１２に入力されている情報（活動期間情報）を含む基本情報回答情報を管理サーバ２に送信する。管理サーバ２は、これらの情報を受信すると、基本情報回答情報に基づいて、受験生ＩＤ、回答している選考内容、および申請番号ならびに基本情報であることを関連付けた回答情報を生成して回答情報ＤＢ２３ｍに登録する。
【０２４８】
一時保存して次に進むボタン６１５に対する入力操作が行われると、受験生端末６は、一時保存ボタン６１４の場合と同様に、管理サーバ２に対して、その旨を示す情報、および活動・実績名称情報、および活動期間情報を管理サーバ２に送信する。管理サーバ２は、これらの情報を受信すると、一時保存ボタン６１４の場合と同様に、基礎回答情報を生成して回答情報ＤＢ２３ｍに登録する。また、管理サーバ２は、設問情報ＤＢ２３ｋに登録されている設問情報に基づいて、特色加点の設問に回答するための設問加点特色回答画面を送信する。これに応じて、受験生端末６は、特色加点基本情報回答画面６１から特色加点設問回答画面に切り替える。
【０２４９】
次に、特色加点設問回答画面について設問する。特色加点設問回答画面は、受験生が特色加点に係る設問に回答するための画面である。本実施形態では、特色加点に係る設問が２つ設定されていると仮定する。そして、特色加点設問回答画面は設問ごとに用意されている。１つめの設問に対する特色加点設問回答画面を第１特色加点設問回答画面とし、２つめの設問に対する特色加点設問回答画面を第２特色加点設問回答画面とする。
【０２５０】
図１９は第１特色加点設問回答画面を例示する模式図である。図１９に示す第１特色加点設問回答画面６２には、設問１入力欄６２１、保存せずに戻るボタン６２３、一時保存ボタン６２４、および一時保存して次に進むボタン６２５が設けられている。
【０２５１】
また、第１特色加点設問回答画面６２の「設問１：活動・実績等の概要」と表示されている部分が設問番号および設問のタイトルであり、前述の設問番号１に係る設問内容表示領域３６−１の設問タイトル入力欄３６２に入力された内容である。さらに、第１特色加点設問回答画面６２の設問１の下に表示されている文章「申請する活動または実績等の概要について、・・・可能な限り記入してください）。」が設問１に対する説明文であり、前述の設問番号１に係る設問内容表示領域３６−１の教示文入力欄３６３に入力された内容である。また、設問１入力欄６２１の下に表示されている「最大文字数４００字」は当該設問１入力欄６２１に入力可能な最大文字数であり、前述の設問番号１に係る設問内容表示領域３６−１の入力エリア最大文字数入力欄３６４に入力された内容である。すなわち、管理サーバ２は、設問情報ＤＢ２３ｋに登録されている設問情報に基づいて、第１特色加点設問回答画面６２を受験生端末６に送信したことになる。
【０２５２】
受験生は、設問１入力欄６２１に、設問１に対する回答を任意に入力することができる。なお、ここで入力できる文字数は、前述の設問番号１に係る設問内容表示領域３６−１の入力エリア最大文字数入力欄３６４に入力された文字数となる。
【０２５３】
保存せずに戻るボタン６２３に対する入力操作が行われると、受験生端末６は、管理サーバ２に対して、１つ前の画面である特色加点基本情報回答画面６１を要求する。これに応じて、管理サーバ２は、受験生端末６に、選択内容選択画面を送信する。そして、受験生端末６は、第１特色加点設問回答画面６２から特色加点基本情報回答画面６１に切り替える。
【０２５４】
また、一時保存ボタン６２４に対する入力操作が行われると、受験生端末６は、管理サーバ２に対して、その旨を示す情報、および第１特色加点設問回答画面６２に対して入力されている内容、詳細には設問１入力欄６２１に入力されている内容を示す情報（設問１回答内容情報）を管理サーバ２に送信する。管理サーバ２は、これらの情報を受信すると、設問１回答内容情報に基づいて、受験生ＩＤ、回答している選考内容、申請番号、および設問の情報を関連付けた回答情報を生成して回答情報ＤＢ２３ｍに登録する。
【０２５５】
一時保存して次に進むボタン６２５に対する入力操作が行われると、受験生端末６は、管理サーバ２に対して、その旨を示す情報、および第１特色加点設問回答画面６２に対して入力されている内容、詳細には設問１入力欄６２１に入力されている内容を示す情報（設問１回答内容情報）を管理サーバ２に送信する。管理サーバ２は、これらの情報を受信すると、設問１回答内容情報に基づいて、受験生ＩＤ、回答している選考内容、申請番号、および設問の情報を関連付けた回答情報を生成して回答情報ＤＢ２３ｍに登録すると共に、次の画面である第２特色加点設問回答画面を送信する。これに応じて、受験生端末６は、第１特色加点設問回答画面６２から第２特色加点設問回答画面に切り替える。なお、第２特色加点設問回答画面については後述する。
【０２５６】
なお、管理サーバ２は、設問１回答内容情報が示す設問１の回答の文字数が最大文字数を超えている場合、設問１回答情報を回答情報ＤＢ２３ｍに登録せずに、例えば、最大文字数を超えていることを示すエラー表示を受験生端末６に行わせる。
【０２５７】
次に、第２設問特色加点回答画面について説明する。図２０は第２特色加点設問回答画面を例示する模式図である。図２０に示す第２特色加点設問回答画面６３には、設問２入力欄６３１、保存せずに戻るボタン６３３、一時保存ボタン６３４、および登録ボタン６３６が設けられている。
【０２５８】
また、第２特色加点設問回答画面６３の「設問２：主体的な行動について」と表示されている部分が設問番号および設問のタイトルであり、設問番号２に係る設問内容表示領域３６−１の設問タイトル入力欄３６２に入力された内容である。さらに、第２特色加点設問回答画面６３の設問２の下に表示されている文章「申請する活動を振り返ってみて、・・・何が起こったか等）。」が設問２に対する説明文であり、設問番号２に係る設問内容表示領域３６−１の教示文入力欄３６３に入力された内容である。また、設問２入力欄６３１の下に表示されている「最大文字数４００字」は当該設問２入力欄６３１に入力可能な最大文字数であり、設問番号２に係る設問内容表示領域３６−１の入力エリア最大文字数入力欄３６４に入力された内容である。すなわち、管理サーバ２は、設問情報ＤＢ２３ｋに登録されている設問情報に基づいて第２特色加点設問回答画面６３を受験生端末６に送信したことになる。
【０２５９】
受験生は、設問２入力欄６３１に、設問２に対する回答を任意に入力することができる。なお、ここで入力できる文字数は、設問番号２に係る設問内容表示領域３６−１の入力エリア最大文字数入力欄３６４に入力された文字数となる。
【０２６０】
保存せずに戻るボタン６３３に対する入力操作が行われると、受験生端末６は、管理サーバ２に対して、１つ前の画面である第１特色加点設問回答画面６２を要求する。これに応じて、管理サーバ２は、受験生端末６に、第１特色加点設問回答画面６２を送信する。そして、受験生端末６は、第２特色加点設問回答画面６３から第１特色加点設問回答画面６２に切り替える。
【０２６１】
また、一時保存ボタン６３４に対する入力操作が行われると、受験生端末６は、管理サーバ２に対して、その旨を示す情報、および第２特色加点設問回答画面６３に対して入力されている内容、詳細には設問２入力欄６３１に入力されている内容を示す情報（設問２回答内容情報）を管理サーバ２に送信する。管理サーバ２は、これらの情報を受信すると、設問２回答内容情報に基づいて、回答している選考内容、申請番号、および設問の情報を関連付けた回答情報を生成して回答情報ＤＢ２３ｍに登録する。
【０２６２】
登録ボタン６３６に対する入力操作が行われると、受験生端末６は、管理サーバ２に対して、その旨を示す情報、および第２特色加点設問回答画面６３に対して入力されている内容、詳細には設問２入力欄６３１に入力されている内容を示す情報（設問２回答内容情報）を管理サーバ２に送信する。管理サーバ２は、これらの情報を受信すると、設問２回答内容情報に基づいて、回答している選考内容、申請番号、および設問の情報を関連付けた回答情報を生成して回答情報ＤＢ２３ｍに登録すると共に、申請一覧画面を送信する。これに応じて、受験生端末６は、第２特色加点設問回答画面６３から申請一覧画面に切り替える。なお、申請一覧画面については後述する。
【０２６３】
なお、管理サーバ２は、設問２回答内容情報が示す設問２の回答の文字数が最大文字数を超えている場合、設問２回答情報を回答情報ＤＢ２３ｍに登録せずに、例えば、最大文字数を超えていることを示すエラー表示を受験生端末６に行わせる。
【０２６４】
次に、申請一覧画面について説明する。申請一覧画面は、各受験生の１つの選考内容に対する申請の一覧を表す画面である。図２１は申請一覧画面を例示する模式図である。図２１に示す申請一覧画面６４には、申請１〜申請２の２つの申請が表示されている。具体的には、申請番号、およびその申請番号に係る基本情報回答情報に含まれている活動・実績等の名称が表示されている。さらに、各申請に対して、申請編集ボタン６４２、および申請削除ボタン６４３が設けられている。なお、図２１に表示の「申請１、申請２」が申請番号であり、「〇〇部活動を３年間継続、全国大会〇〇賞の受賞」が活動・実績等の名称である。
【０２６５】
申請編集ボタン６４２に対する入力操作が行われると、受験生端末６は、管理サーバ２に対して、その申請編集ボタン６４２に対する入力操作が行われた旨を示す情報を管理サーバ２に送信する。この情報には、申請番号に関する情報が含まれている。管理サーバ２は、その情報を受信すると、回答情報ＤＢ２３ｍに登録されているその申請に係る基本情報回答情報が反映された特色加点基本情報回答画面６１を送信する。これに応じて、受験生端末６は、申請一覧画面６４から特色加点基本情報回答画面６１に切り替える。これにより、受験生はその申請に係る回答を編集することができる。
【０２６６】
申請削除ボタン６４３に対する入力操作が行われると、受験生端末６は、管理サーバ２に対して、その申請削除ボタン６４３に対する入力操作が行われた旨を示す情報を管理サーバ２に送信する。この情報には、申請番号に関する情報が含まれている。管理サーバ２は、その情報を受信すると、回答情報ＤＢ２３ｍに登録されているその申請に係る回答情報を消去すると共に、その申請に係る申請番号、および活動・実績等の名称の表示、ならびに申請編集ボタン６４２、および申請削除ボタン６４３を削除する旨の情報を受験生端末６に送信する。これに応じて、受験生端末６は、申請番号、および活動・実績等の名称の表示、ならびに申請編集ボタン６４２、および申請削除ボタン６４３を削除する。
【０２６７】
また、申請一覧画面６４には、申請追加ボタン６４４、一時保存をしてログアウトボタン６４５、および申請確定ボタン６４６が設けられている。
【０２６８】
申請追加ボタン６４４に対する入力操作が行われると、受験生端末６は、管理サーバ２に対して、その旨を示す情報を管理サーバ２に送信する。管理サーバ２は、その情報を受信すると、新しいブランク状態の特色加点基本情報回答画面６１を受験生端末６に送信する。これに応じて、受験生端末６は、特色加点基本情報回答画面６１を表示する。これによって、受験生は新たな申請を行うことができる。なお、新たな申請を完了して、申請一覧画面６４に戻ってきた場合、図２１の申請２の下に、申請３として入力した活動・実績の名称、申請編集ボタン６４２、および申請削除ボタン６４３が表示される。
【０２６９】
一時保存をしてログアウトボタン６４５に対する入力操作が行われると、受験生端末６は、管理サーバ２に対して、その旨を示す情報を管理サーバ２に送信する。管理サーバ２は、この情報を受信すると、受験生用のログイン画面を送信する。これに応じて、受験生端末６は、申請一覧画面６４から受験生用のログイン画面に切り替える。
【０２７０】
また、申請確定ボタン６４６に対する入力操作が行われると、受験生端末６は、管理サーバ２に対して、その旨を示す情報を管理サーバ２に送信する。管理サーバ２は、この申請に係る選考内容のステータスを「確定」にすると共に、不図示の受験生用のログイン画面を送信する。これに応じて、受験生端末６は、申請一覧画面６４から受験生用のログイン画面に切り替える。
【０２７１】
次に、評価担当者端末４に表示される評価担当者トップ画面、評価対象一覧画面、個別評価画面、および観点別評価画面について説明する。
【０２７２】
評価担当者トップ画面は、評価担当者のログイン後、最初に表示され、その評価担当者が所属する大学の試験区分の一覧を表す画面である。図２２は、評価担当者トップ画面を例示する模式図である。図２２に示す評価担当者トップ画面４０には、選考内容一覧表４０１が表示されている。
【０２７３】
選考内容一覧表４０１は、試験区分項目と、選考内容を示す項目（選考内容項目）、評価担当者による各選考内容の評価状況を示すステータスを表す項目（評価担当者ステータス項目）、および各選考内容に対して評価を行うための操作を受け付け可能な評価開始ボタン４０２１が設けられた項目（評価開始操作項目）を列で配列した表で構成されている。言い換えると、選考内容一覧表４０１は、選考内容単位で、試験区分項目、選考内容項目、評価担当者ステータス項目、および評価開始操作項目を構成要素とした行が選考内容の分だけ縦方向に配列されている。
【０２７４】
なお、評価担当者ステータスとしては、その選考内容に対する評価が行われていない「未確定」と、評価が行われているが確定はしてない「評価中」と、評価が確定した「確定済」とが設けられている。評価担当者ステータスは管理サーバ２が個別評価結果情報ＤＢ２３ｎに登録されている個別評価結果情報に基づいて適宜に表示する。
【０２７５】
評価開始ボタン４０２１に対する入力操作が行われると、評価担当者端末４は、管理サーバ２に、その評価開始ボタン４０２１に対する入力操作が行われた旨を示す情報（評価選考内容情報）を管理サーバ２に送信する。この評価選考内容情報には、その評価開始ボタン４０２１に係る試験区分、および選考内容に関する情報が含まれている。管理サーバ２は、評価選考内容情報を受信すると、回答情報ＤＢ２３ｍに登録されている回答情報などに基づいて、その情報が示す試験区分および選考内容に係る評価対象一覧画面を適宜に生成して送信する。これに応じて、評価担当者端末４は、評価担当者トップ画面４０から評価対象一覧画面に切り替える。評価対象一覧画面については後述する。
【０２７６】
また、ログアウトボタン４０３に対する入力操作が行われると、評価担当者端末４は、管理サーバ２に評価担当者用ログイン画面（図示無し）を要求する。これに応じて、管理サーバ２は、評価担当者端末４に、評価担当者トップ画面４０から評価担当者用ログイン画面に切り替えさせる。
【０２７７】
次に、評価対象一覧画面について説明する。図２３は、評価対象一覧画面を例示する模式図である。図２３に示す評価対象一覧画面４１には、試験区分・選考内容表示欄４１１と、評価対象一覧表４１２が表示されている。
【０２７８】
試験区分・選考内容表示欄４１１には、評価対象の試験区分、および選考内容が表示されている。
【０２７９】
評価対象一覧表４１２は、申請別に、受験生を識別する整理番号、評価担当者の評価状況を示すステータス（申請別評価ステータス）、その申請に対する評価結果を列の項目とした表である。具体的には、整理番号、その整理番号の選考内容について申請された申請番号、申請別評価ステータス、および評価結果を列で配列し、申請を行で配列した表が評価対象一覧表４１２を構成している。
【０２８０】
なお、評価結果は、前述の試験管理者端末３による評価者の設定で評価担当者に対応付けられた評価観点で分けられている。すなわち、評価観点別の評価結果が表示される。図２３では、評価観点１、評価観点２、評価観点４、および評価観点５がこの評価担当者に対応付けられていることになる。また、申請別評価ステータスとして、その申請に対する評価が１つも行われていない「未評価」と、評価が１つ以上行われているが全ては完了していない「評価中」、および評価が確定した「確定中」とがある。申請別評価ステータスは管理サーバ２が個別評価結果情報ＤＢ２３ｎに登録されている個別評価結果情報に基づいて適宜に表示する。
【０２８１】
また、評価対象一覧表４１２における申請の列を構成する各セルには、申請番号が表示された申請別評価開始ボタン４１３が設けられている。申請別評価開始ボタン４１３に対する入力操作が行われると、評価担当者端末４は、その申請別評価開始ボタン４１３の入力操作が行われたことを示す情報（選択申請情報）を管理サーバ２に送信する。この選択申請情報には、その申請別評価開始ボタン４１３に対応する整理番号に応じた受験生ＩＤ、および申請番号に関する情報が含まれている。管理サーバ２は、選択申請情報を受信すると、回答情報ＤＢ２３ｍに登録された回答情報などに基づいて、その受験生ＩＤの申請番号に対する評価を行うための画面（申請別評価画面）を生成して評価担当者端末４に送信する。これに応じて評価担当者端末４は、その申請別評価画面を表示する。申請別評価画面については後述する。
【０２８２】
さらに、評価対象一覧表４１２における各評価観点の列の見出しには、評価観点が表示された観点別評価開始ボタン４１４が設けられている。観点別評価開始ボタン４１４に対する入力操作が行われると、評価担当者端末４は、その観点別評価開始ボタン４１４の入力操作が行われたことを示す情報（選択観点情報）を管理サーバ２に送信する。この選択観点情報には、その観点別評価開始ボタン４１４に係る評価観点番号に関する情報が含まれている。管理サーバ２は、選択観点情報を受信すると、その評価観点に対する評価を行うための画面（観点別評価画面）を生成して評価担当者端末４に送信する。これに応じて評価担当者端末４は、その観点別評価画面を表示する。観点別評価画面については後述する。
【０２８３】
また、評価対象一覧画面４１には、評価確定ボタン４１５、および評価担当者画面トップへ戻るボタン４１６が設けられている。
【０２８４】
評価確定ボタン４１５に対する入力操作が行われると、評価担当者端末４は、その旨を示す情報（評価確定情報）を管理サーバ２に送信する。管理サーバ２は、この評価確定情報を受信すると、試験区分・選考内容表示欄４１１に表示されている選考内容に係る評価担当者ステータスを「確定済」に変更すると共に、評価担当者端末４に、評価担当者トップ画面を送信する。これに応じて、評価担当者端末４は評価担当者トップ画面を表示する。なお、このときの評価担当者トップ画面４０では、評価確定ボタン４１５への入力操作が行われた選考内容に対する評価担当者ステータスが「確定済」と表示されている。
【０２８５】
また、評価担当者画面トップへ戻るボタン４１６に対する入力操作が行われると、評価担当者端末４は、管理サーバ２に評価担当者用ログイン画面を要求する。これに応じて、管理サーバ２は、評価担当者端末４に、評価対象一覧画面４１から評価担当者用ログイン画面に切り替えさせる。なお、このときの評価担当者トップ画面では、評価確定ボタン４１５の操作が行われた選考内容に対する評価担当者ステータスは、前画面で評価が１つでも行われている状況であれば「評価中」と表示され、前画面で評価が１つも行われていない状況であれば「未確定」と表示される。
【０２８６】
（申請別評価画面）
次に、申請別評価画面について説明する。図２４は、申請別評価画面を例示する模式図である。図２４に示す申請別評価画面４２には、申請番号等表示欄４２１と、申請内容表示欄４２２と、評価観点表４２３と、保存せずに一覧に戻るボタン４２４と、保存して一覧に戻るボタン４２５と、保存して次の申請に進むボタン４２６と、が設けられている。
【０２８７】
申請番号等表示欄４２１には、試験区分、選考内容、およびこの画面の評価対象に関する情報が表示されている。申請番号等表示欄４２１は、試験区分、および選考内容を表示する試験区分等表示領域４２０１と、整理番号、申請に係る活動・実績等の名称を表示する整理番号等表示領域４２０２と、で構成されている。また、申請内容表示欄４２２には、その申請に対する基本情報、および各設問に対する回答が表示されている。
【０２８８】
申請内容表示欄４２２と各種ボタン４２４，４２５，４２６との間に評価観点表４２３が表示されている。評価観点表４２３は、評価観点別に設けられている。評価観点表４２３の上側近傍には、当該表４２３のタイトルとして評価観点番号およびその評価観点の名称が表示されている。
【０２８９】
なお、図２４に示す申請別評価画面４２には、評価観点１の評価観点表４２３のみが表示されている。しかし、例えば、ある申請に対して評価する評価観点が複数ある場合は、評価観点の分だけ評価観点表４２３が評価観点番号順に表示される。また、申請別評価画面４２に表示される評価観点表４２３に係る評価観点は、前述の試験管理者端末３による設問設定および担当者設定によって決められる。
【０２９０】
評価観点表４２３は、評価レベル、各評価レベルに対する評価基準、および補足事項、ならびに各評価レベルを選択する入力操作を行うための選択肢（中が空白になった小さな円）を列として配列し、評価レベルを行として配列する表で構成されている。１つの評価観点表４２３に対して、１つの評価レベル入力欄４２３０が設けられている。評価レベル入力欄４２３０は、ラジオボタンで構成されている。すなわち、評価レベル入力欄４２３０は、当該評価レベル入力欄４２３０を構成する選択肢群の中で何れか１つの選択肢のみを選択可能に構成されている。
【０２９１】
なお、評価レベル入力欄４２３０を構成する選択肢に対して入力操作が行われると、その選択肢に所定のチェックマークが入力され、その選択肢に対応する評価レベルが選択されている状態となる。選択肢にチェックマークが入力される際には、その前に選択肢が入力されていた選択肢のチェックマークは解除される。
【０２９２】
保存せずに一覧に戻るボタン４２４に対する入力操作が行われると、評価担当者端末４は、管理サーバ２に対して、評価対象一覧画面４１を要求する。これに応じて、管理サーバ２は、評価担当者端末４に、申請別評価画面４２から評価対象一覧画面４１に切り替えさせる。
【０２９３】
また、保存して一覧に戻るボタン４２５に対する入力操作が行われると、評価担当者端末４は、管理サーバ２に対して、その旨を示す情報、および評価観点毎に申請別評価画面４２に対して入力されている評価レベルを示す情報（評価素点情報）を管理サーバ２に送信する。管理サーバ２は、これらの情報を受信すると、評価素点情報に基づいて、当該評価担当者の職員ＩＤ、ならびに評価対象を示す入試区分、選考内容、整理番号（受験生ＩＤ）、申請番号、設問の番号、および評価観点番号を関連付けた個別評価結果情報を生成して個別評価結果情報ＤＢ２３ｎに登録すると共に、評価対象一覧画面４１を評価担当者端末４に送信する。これを受けて、評価担当者端末４は、申請別評価画面４２から評価対象一覧画面４１に切り替える。
【０２９４】
（観点別評価画面）
次に、観点別評価画面について説明する。図２５は、観点別評価画面を例示する模式図である。図２５に示す観点別評価画面４３には、評価観点番号等表示欄４３１と、申請評価表４３２と、保存せずに一覧に戻るボタン４３４と、保存して一覧に戻るボタン４３５と、が設けられている。
【０２９５】
評価観点番号等表示欄４３１には、試験区分、選考内容、および、この画面の評価対象である評価観点番号が表示されている。評価観点番号等表示欄４３１は、試験区分、および選考内容を表示する試験区分等表示領域４３０１と、評価観点番号、およびその番号の名称を表示する評価観点番号等表示領域４３０２と、で構成されている。
【０２９６】
申請評価表４３２は、整理番号、申請内容（基本情報および設問の回答）、および評価レベルの入力操作を行うための評価レベル入力欄４３２０を列として配列し、申請単位で行を配列する表で構成されている。評価担当者は、評価レベル入力欄４３２０に、評価レベルを任意に入力することができる。
【０２９７】
保存せずに一覧に戻るボタン４３４に対する入力操作が行われると、評価担当者端末４は、管理サーバ２に対して、評価対象一覧画面４１を要求する。これに応じて、管理サーバ２は、評価担当者端末４に、観点別評価画面４３から評価対象一覧画面４１に切り替えさせる。
【０２９８】
また、保存して一覧に戻るボタン４３５に対する入力操作が行われると、評価担当者端末４は、管理サーバ２に対して、その旨を示す情報、および申請毎に観点別評価画面４３に対して入力されている評価レベルを示す情報（評価素点情報）を管理サーバ２に送信する。管理サーバ２は、これらの情報を受信すると、評価素点情報に基づいて、当該評価担当者の職員ＩＤ、ならびに評価対象を示す入試区分、選考内容、整理番号（受験生ＩＤ）、申請番号、設問の番号、および評価観点番号を関連付けた個別評価結果情報を生成して個別評価結果情報ＤＢ２３ｎに登録すると共に、評価対象一覧画面４１を評価担当者端末４に送信する。これを受けて、評価担当者端末４は、観点別評価画面４３から評価対象一覧画面４１に切り替える。
【０２９９】
なお、管理サーバ２は、ある申請のある評価観点について、当該評価観点に係る全ての評価担当者の評価が確定されると、試験管理者端末３による判定方法詳細設定によって設定された詳細な判定方法に基づいて、観点別得点を算出する。そして、管理サーバ２は、算出した観点別得点を含む観点別評価結果情報を生成して観点別評価結果情報ＤＢ２３ｏに登録する。
【０３００】
また、管理サーバ２は、ある申請について、当該申請に係る全ての評価観点の観点別得点が登録されると、当該申請の申請別得点を算出する。具体的には、全ての観点別得点を加算する。そして、管理サーバ２は、算出した申請別得点を含む申請別評価結果情報を生成して申請別評価結果情報ＤＢ２３ｐに登録する。
【０３０１】
次に、評価責任者端末５に表示される評価責任者トップ画面、合算判定評価結果一覧画面、およびパターン判定評価結果一覧画面について説明する。
【０３０２】
評価責任者トップ画面は、評価責任者のログイン後、最初に表示され、その評価責任者が所属する大学の試験区分の一覧を表す画面である。図２６は、評価責任者トップ画面を例示する模式図である。図２６に示す評価責任者トップ画面５０には、選考内容一覧表５０１が表示されている。
【０３０３】
選考内容一覧表５０１は、選考内容項目、評価責任者による各選考内容の承認状況を示すステータスを表す（評価責任者ステータス項目）、および各選考内容に対して承認または変更を行うための操作を受け付け可能な承認変更開始ボタン５０２が設けられた項目（承認変更開始操作項目）を列で配列した表で構成されている。言い換えると、選考内容一覧表５０１は、選考内容単位で、試験区分項目、選考内容項目、評価責任者ステータス項目、および承認変更開始操作項目を構成要素とした行が選考内容の分だけ縦方向に配列されている。
【０３０４】
なお、評価責任者ステータスとしては、その選考内容に対する承認が行われていない「未承認」と、その選考内容に対する承認が行われた「承認済」とが設けられている。また、承認変更開始操作項目とは、図２６の選考内容一覧表５０１において一番右端の項目である。各承認変更開始操作項目には、評価責任者が選考内容を確認すると共に、承認または評価結果を変更するための承認変更開始ボタン５０２が設けられている。
【０３０５】
承認変更開始ボタン５０２に対する入力操作が行われると、評価責任者端末５は、管理サーバ２に対して、その承認変更開始ボタン５０２に対する入力操作が行われた旨を示す情報（確認選考内容情報）を管理サーバ２に送信する。確認選考内容情報には、その承認変更開始ボタン５０２が対応付けられた試験区分および選考内容に関する情報が含まれている。管理サーバ２は、確認選考内容情報を受信すると、その選考内容に対する評価結果一覧が表示され、評価結果を確認すると共に、承認または変更するための画面（評価結果一覧画面）を送信する。これに応じて、評価責任者端末５は、評価責任者トップ画面５０から評価結果一覧画面に切り替える。
【０３０６】
なお、評価責任者トップ画面５０は、その選考内容に対する評価が合算判定で行われている場合には合算判定評価結果一覧画面となる一方、その選考内容に対する評価がパターン判定で行われている場合にはパターン判定評価結果一覧画面となる。これらの画面については後述する。
【０３０７】
また、ログアウトボタン５０３に対する入力操作が行われると、評価責任者端末５は、管理サーバ２に評価責任者用ログイン画面を要求する。これに応じて、管理サーバ２は、評価責任者端末５に、評価責任者トップ画面５０から評価責任者用ログイン画面に切り替えさせる。
【０３０８】
次に、合算判定評価結果一覧画面について説明する。図２７は、合算判定評価結果一覧画面を例示する模式図である。図２７に示す合算判定評価結果一覧画面５２には、試験区分・選考内容表示欄５１１と、評価結果一覧表５１２と、承認ボタン５１８と、評価責任者画面トップへ戻るボタン５１９と、が設けられている。なお、合算判定評価結果一覧画面５２が表示されたときには、最初は、後述する評価結果詳細小画面５１３は表示されていないものとする。
【０３０９】
試験区分・選考内容表示欄５１１には、試験区分、および選考内容が表示されている。
【０３１０】
承認ボタン５１８に対する入力操作が行われると、評価責任者端末５は、その旨を示す情報（評価承認情報）を管理サーバ２に送信する。管理サーバ２は、この情報を受信すると、サーバ記憶部２３の所定領域に記憶されている確認操作中の入試区分の選考内容に対する評価責任者ステータスを「承認済」に変更すると共に、評価責任者端末５に、評価責任者トップ画面を送信する。これに応じて、評価責任者端末５は合算判定評価結果一覧画面５２から評価責任者トップ画面５０に切り替える。なお、このときの評価責任者トップ画面５０では、承認ボタン５１８の操作が行われた選考内容に対する評価責任者ステータスが「承認済」と表示されている。
【０３１１】
また、評価責任者画面トップへ戻るボタン５１９に対する入力操作が行われると、評価責任者端末５は、管理サーバ２に評価責任者トップ画面を要求する。これに応じて、管理サーバ２は、評価責任者端末５に、評価結果一覧画面５１から評価責任者トップ画面に切り替えさせる。なお、このときの評価責任者トップ画面には、承認ボタン５１８の操作が行われた選考内容に対する評価責任者ステータスが「未承認」と表示される。
【０３１２】
評価結果一覧表５１２は、申請別に、受験生を識別する整理番号、その申請に対する評価担当者全体の評価状況を示すステータス（評価担当者全体ステータス）、その申請に対する評価観点別の評価結果（観点別得点）、および申請別の総合的な評価結果（申請別得点）を横に並べて配列させた表である。具体的には、評価結果一覧表５１１は、整理番号、その整理番号の選考内容について申請された申請番号、評価担当者全体ステータス、観点別得点、および申請別得点を列で配列し、申請を行で配列した表で構成されている。
【０３１３】
なお、観点別得点は、評価観点別に算出された得点である。具体的には、各申請に係る各評価観点に対する全ての評価担当者の評価結果に基づいて、合算判定、詳細には、試験管理者端末３による判定方法詳細設定で設定された判定方法によって算出された値である。また、申請別得点は、各申請に係る全ての観点別得点を集計した値（申請別得点）である。また、評価結果一覧表５１２の列の見出しの「観点１」〜「観点５」の下に表示されている数字が、各申請に対する各観点の観点別得点を表す。また、評価結果一覧表５１２の列の見出しの「得点」の下に表示されている数字が、各申請の申請別得点を表す。
【０３１４】
さらに、評価担当者全体ステータスとして、その申請に対して全ての評価担当者が評価を確定させた「評価済」と、一部の評価担当者が評価を確定させた「評価中」と、一人の評価担当者も評価を確定させていない「未評価」とがある。
【０３１５】
また、評価結果一覧表５１２を構成し、各申請の観点別得点および申請別得点を表示するセル５１２２には、観点別得点および申請別得点が表示されている。そして、このセル５１２２は、観点別評価結果の詳細を確認する入力操作を受け付け可能に構成されている。観点別得点が表示されているセル５１２２に対して入力操作が行われると、評価責任者端末５は、そのセル５１２２への入力操作が行われたことを示す情報（選択評価結果情報）を管理サーバ２に送信する。この選択評価結果情報には、当該セル５１２２に係る整理番号に対応する整理番号（受験生ＩＤ）、申請番号、および評価観点番号に関する情報が含まれている。
【０３１６】
管理サーバ２は、選択評価結果情報を受信すると、個別評価結果情報ＤＢ２３ｎに格納されている個別評価結果情報、および観点別評価結果情報ＤＢ２３ｏに登録されている観点別評価結果情報などに基づいて、その整理番号（受験生ＩＤ）、申請番号および評価観点番号に関する評価結果の詳細、具体的には各評価担当者の評価結果を確認することができる画面（評価結果詳細小画面）を評価責任者端末５に送信する。これに応じて、評価責任者端末５は、入力操作を行ったセル５１２２が隠れないように評価結果詳細小画面５１３を評価結果一覧表５１１に重ねて表示する。
【０３１７】
評価結果詳細小画面５１３には、各評価担当者の個別評価結果に基づいて算出された現時点での観点別得点を表示する現在観点別得点表示領域５１３１（図２７において「現在」）と、後述するように何れかの評価レベルを変更した場合の観点別得点を表示する変更観点別得点表示領域５１３２（図２７におおいて「評価レベル（編集後）」）とが、左右に並んで設けられている。
【０３１８】
なお、以下において、観点別得点の変更操作が行われて変更の前後で観点別得点を区別する場合には、変更前の観点別得点のことを「変更前観点別得点」と称し、変更後の観点別得点のことを「変更後観点別得点」と称する。また、観点別得点の変更操作が行われるまで、変更観点別得点表示領域５１３２には、変更された観点別得点がないことを表す「−」が表示される。
【０３１９】
また、評価結果詳細小画面５１３には、評価担当者と各評価担当者の評価結果との関係を示す詳細評価結果一覧表５１３３が設けられている。詳細評価結果一覧表５１３３では、左端の列に、この選考内容を評価した評価担当者が縦に並んで表示されている。そして、評価結果一覧表５１３３では、変更の有無に関係なく、各評価担当者に対応させて、変更前の評価結果が表示されている。
【０３２０】
また、評価結果一覧表５１３３には、各評価担当者が評価した評価結果を変更するための入力操作を受け付け可能な評価レベル変更欄５１３４が設けられている。評価レベル変更欄５１３４は、評価担当者に対応付けて設けられている。評価責任者は、評価レベル変更欄５１３４に任意に評価レベルを入力することができる。この入力した評価レベルが、変更前の評価結果と異なっている場合には、評価結果を変更したことになる。
【０３２１】
また、評価結果詳細小画面５１３の詳細評価結果一覧表５１３３の直下には、キャンセルボタン５１３５と、確認ボタン５１３６と、が設けられている。
【０３２２】
キャンセルボタン５１３５に対する入力操作が行われると、評価責任者端末５は、その旨を示す情報を管理サーバ２に送信する。管理サーバ２は、この情報を受信すると、評価責任者端末５に評価結果詳細小画面５１３を消去させる。なお、キャンセルボタン５１３５への入力操作が行われる際に、評価レベル変更欄５１３４に何らかの値が入力されていてもその値に関する情報は管理サーバ２には送信されない。すなわち、表示されていた評価結果詳細小画面５１３に係る観点別得点の変更処理自体がキャンセルされる。
【０３２３】
一方、確認ボタン５１３６に対する入力操作が行われると、全ての評価レベル変更欄５１３４に評価レベルが入力されていることを条件として、評価責任者端末５は、その入力操作が行われたことを示す旨の情報、および評価担当者毎に評価レベル変更欄５１３４に入力されている評価レベルを示す情報（変更評価レベル情報）を管理サーバ２に送信する。変更評価レベル情報には、評価担当者、受験生ＩＤ、申請番号、および評価観点番号に関する情報も含まれている。
【０３２４】
管理サーバ２は、これらの情報を受信すると、まずは各変更評価レベル情報を、個別評価結果情報ＤＢ２３ｎに登録されて、変更評価レベル情報に対応する個別評価結果情報に上書きして新たに登録する。
【０３２５】
また、管理サーバ２は、個別評価結果である評価レベルが変更された場合、この選考内容について試験管理者端末３による判定方法詳細設定によって設定された詳細な判定方法に基づいて、新たな観点別得点を算出する。そして、新たに算出した観点別得点を、観点別評価結果情報ＤＢ２３ｏに登録され、当該観点別得点に対応する観点別評価結果情報に含まれる観点別得点に上書きして新たに登録し、変更観点別得点表示領域５１３２に表示させると共に、評価結果一覧表５１２に表示されていた変更前観点別得点を変更後観点別得点に変更させる。
【０３２６】
さらに、管理サーバ２は、評価責任者端末５に、変更された観点別得点が表示されているセル５１２２に、観点別得点が変更されたことを表す変更アイコン５１７を表示させる。
【０３２７】
また、管理サーバ２は、新たな観点別得点に基づいて、その観点別得点の対象である評価観点に係る申請の申請別得点を新たに算出して、申請別評価結果情報ＤＢ２３ｐに登録され、当該申請別得点に対応する申請別評価結果情報に含まれる申請別得点に上書きして新たに登録し、評価結果一覧表５１２に表示されている申請別得点を変更する。
【０３２８】
そして、評価責任者は、評価結果詳細小画面５１３に設けられたクローズボタン５１３７に対する入力操作によって評価結果詳細小画面５１３を閉じることができる。なお、観点別得点の変更が行われた後にも、その観点別得点に係る評価結果詳細小画面５１３を再度、表示させることができる。この場合は、変更された観点別得点が変更前観点別得点として扱われる。
【０３２９】
次に、パターン判定評価結果一覧画面について説明する。図２８は、パターン判定評価結果一覧画面を例示する模式図である。図２８に示すパターン判定評価結果一覧画面５２には、試験区分・選考内容表示欄５２１と、評価結果一覧表５２２と、承認ボタン５２８と、評価責任者トップへ戻るボタン５２９と、が設けられている。
【０３３０】
試験区分・選考内容表示欄５２１、承認ボタン５２８、および評価責任者トップに戻るボタン５２９は、基本的には前述の試験区分・選考内容表示欄５１１、承認ボタン５１８、および評価責任者トップに戻るボタン５１９と同じ構成である。そのため、それらの説明は省略する。
【０３３１】
また、評価結果一覧５２２の基本構成も、合算判定に係る評価結果一覧５１２の基本構成と同じであるが、パターン判定では、合算判定の場合に観点別評価結果として導出されない協議が含まれているので、パターン判定による観点別評価結果が「協議」となった場合について説明する。
【０３３２】
ある申請の評価観点に対する評価がパターン判定によって「協議」となってしまった場合は、図２８に示すように、その申請の評価観点に係るセル５２２２に「協議」と表示される。そして、そのセル５２２２に対して入力操作が行われると、図２７の場合と同様に、その評価観点に係る評価結果詳細小画面５２３が表示される。
【０３３３】
ここで、前述の現在観点別得点表示領域５１３１に対応する現在観点別得点表示領域５２３１では、「協議」と表示されている。そして、評価結果詳細小画面５２３では、前述の評価結果詳細小画面５１３と同様に、評価者が表示され、各評価者に対する評価レベル変更欄５１３４が設けられている。
【０３３４】
そして、評価レベル変更欄５２３４に評価レベルを入力することで、各評価者の評価レベルを変更させることができる。そして、管理サーバ２は、判定方法詳細設定で設定された判定方法に基づいて、図２７の場合と同様に、観点別得点および申請別得点を更新する。
【０３３５】
以上のように構成された申請／評価支援システム１によれば、試験管理者端末３、評価担当者端末４、および受験生端末６が通信ネットワーク７を介して管理サーバ２に接続され、試験管理者端末３への入力操作によって、受験生への設問を設定でき、受験生端末６への入力操作によって、受験生が設問に回答でき、評価担当者端末４への入力操作によって、評価担当者が受験生の回答を評価することができるので、入学試験に対する利便性および汎用性を向上させることができる。
【０３３６】
また、試験管理者端末３、評価担当者端末４、および受験生端末６の他に評価責任者端末５も通信ネットワーク７を介して管理サーバ２に接続され、評価責任者端末５への入力操作によって、評価担当者の評価を承認することができるので、入学試験に対する利便性および汎用性を向上させることができる。
【０３３７】
さらに、評価責任者端末５への入力操作によって、評価担当者の評価を確認して変更修正することができるので、入学試験に対する評価結果の信憑性および正当性を向上させることができる。
【０３３８】
さらに、試験管理者端末３への入力操作によって、選考区分ごとに評価担当者を設定することができるので、試験に対する評価体制の多様化を図ることができる。
【０３３９】
また、前述した実施形態は単なる例示にすぎず、本発明を何ら限定するものではなく、その要旨を逸脱しない範囲内で種々の改良、変形が可能であることはもちろんである。
【０３４０】
例えば、本発明の申請／評価支援システムを用いる対象は前述の実施形態に限られない。その一例として、申請／評価支援システム１のように大学の入学試験の受験生側と、大学側との間で適用するのではなく、民間企業または国や地方自治体の就職・転職などの採用試験について、受験者と、民間企業または国や地方自治体との間で本発明の申請／評価支援システムを適用させても良い。この場合、入社希望者が受験生に対応し、民間企業または国や地方自治体が大学に対応する。あるいは、資格の試験や所定の組織内における登用試験について本発明の申請／評価支援システムを適用させても良い
【０３４１】
また、申請／評価支援システムで各種端末に表示される画面構成も本実施形態に限られず、適宜に変更しても良い。さらに、評価観点の内容、設問の内容、および判定方法も前述の実施形態に限られず、適宜に変更しても良い。加えて、所定事項を入力する際の操作方法も、コピー機能、ダウンロード機能、およびドロップダウンリスト機能を採用しても良い。例えば、評価担当者や評価責任者を設定する場合、事前に職員に関する情報をｃｓｖファイルでサーバ記憶部２３に格納しておき、インポートで読み込むようにしても良い。
【０３４２】
また、前述の実施形態では、大学側で使用される端末は、試験管理者端末３、評価担当者端末４、および評価責任者端末５の３種類あるが、例えば、評価責任者端末５の機能を試験管理者端末３に統合させるようにして、２種類にしても良い。あるいは、申請／評価支援システム１から評価責任者端末５そのものを省くようにしても良い。
【０３４３】
さらに、前述の実施形態では、評価担当者および評価責任者は、設問を設定する前に選考内容ごとに設定されているが、試験区分ごとに設定するようにしても良い。また、評価担当者および評価責任者は、設問を設定した後に、設問ごとに設定するようにしても良い。
【０３４４】
また、前述の実施形態では、入試区分を、募集区分と学部・学科で構成させたが、入試区分の構成はこれに限られない。例えば、入試区分を、募集区分と、入試方式と、学部・学科との組み合わせで構成させても良い。ここでの入試方式とは、例えば、英語重視、２科目、スポーツ、および一芸などで構成される入試の方式のことである。
【０３４５】
また、前述の実施形態では、１つの申請／評価支援システム１に対して１つの管理サーバ２が設けられているが、複数の管理サーバ２が設けられるようにしても良い。この場合、１つの管理サーバ２に対して１つの大学または複数の大学を割り当てるようにしても良い。
【０３４６】
また、前述の実施形態では、サーバ制御部２２は、管理サーバ２が備えるサーバ記憶部２３に記憶されている様々なプログラムや情報に基づいて様々な機能を実現しているが、サーバ記憶部２３に記憶されている様々なプログラムを、通信ネットワーク７を介して管理サーバ２に接続されているクラウドベースに記憶させても良い。
【０３４７】
さらに、前述の実施形態に開示されている処理は、単一のＣＰＵ，複数のＣＰＵ、ＡＳＩＣなどのハードウェア、またはそれらの組み合わせで実行されてもよい。また、前述の実施形態に開示されている処理は，その処理を実行するためのプログラムを記録した記録媒体、または方法等の種々の態様で実現することができる。
【符号の説明】
【０３４８】
１…申請／評価支援システム
２…管理サーバ
３…試験管理者端末
４…評価担当者端末
５…評価責任者端末
６…受験生端末
７…通信ネットワーク
２１…サーバ通信部
２２…サーバ制御部
２３…サーバ記憶部
【図１】
2019200601.tif 000003
【図２】
2019200601.tif 000004
【図３】
2019200601.tif 000005
【図４】
2019200601.tif 000006
【図５】
2019200601.tif 000007
【図６】
2019200601.tif 000008
【図７】
2019200601.tif 000009
【図８】
2019200601.tif 000010
【図９】
2019200601.tif 000011
【図１０】
2019200601.tif 000012
【図１１】
2019200601.tif 000013
【図１２】
2019200601.tif 000014
【図１３】
2019200601.tif 000015
【図１４】
2019200601.tif 000016
【図１５】
2019200601.tif 000017
【図１６】
2019200601.tif 000018
【図１７】
2019200601.tif 000019
【図１８】
2019200601.tif 000020
【図１９】
2019200601.tif 000021
【図２０】
2019200601.tif 000022
【図２１】
2019200601.tif 000023
【図２２】
2019200601.tif 000024
【図２３】
2019200601.tif 000025
【図２４】
2019200601.tif 000026
【図２５】
2019200601.tif 000027
【図２６】
2019200601.tif 000028
【図２７】
2019200601.tif 000029
【図２８】
2019200601.tif 000030
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
所定の機関が実施する試験について用いられるサーバであって、
前記試験を管理する試験管理者に用いられる試験管理者端末、前記試験の受験者を評価する評価担当者に用いられる評価担当者端末、前記評価担当者によって行われた前記評価に対する責任者である評価責任者に用いられる評価責任者端末、および前記受験者に用いられる受験者端末のそれぞれに通信ネットワークを介して接続され、
前記試験管理者端末にログインされていることを条件に、前記試験管理者端末への入力操作に応じて、前記受験者に対する設問を所定の記憶部に記憶させて当該設問を設定し、
前記受験者端末にログインされていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末にログインされていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末にログインされていることを条件に、前記評価担当者の前記回答に対する評価の結果を含み、当該評価の結果を確認して承認することができる画面を前記評価責任者端末に送信し、
前記評価責任者端末への入力操作に応じて、前記評価の結果に対する承認を示す情報を受信すると、当該承認を受け付けることを特徴とするサーバ。
【請求項２】
所定の機関が実施する試験について用いられるサーバであって、
前記試験を管理する試験管理者に用いられる試験管理者端末、前記試験の受験者を評価する評価担当者に用いられる評価担当者端末、前記評価担当者によって行われた前記評価に対する責任者である評価責任者に用いられる評価責任者端末、および前記受験者に用いられる受験者端末のそれぞれに通信ネットワークを介して接続され、
前記試験管理者端末にログインされていることを条件に、前記試験管理者端末への入力操作に応じて、前記受験者に対する設問を所定の記憶部に記憶させて当該設問を設定し、
前記受験者端末にログインされていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末にログインされていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末にログインされていることを条件に、前記評価担当者の前記回答に対する評価の結果を含み、当該評価の結果を確認して変更することができる画面を前記評価責任者端末に送信し、
前記評価責任者端末への入力操作に応じて、前記評価の結果に対する変更を示す情報を受信すると、当該変更の内容に応じて前記記憶部に記憶していた前記評価の結果を変更することを特徴とするサーバ。
【請求項３】
所定の機関が実施する試験について用いられる申請／評価支援システムであって、
サーバと、
前記サーバに通信ネットワークを介して接続され、前記試験を管理する試験管理者に用いられる試験管理者端末と、
前記サーバに前記通信ネットワークを介して接続され、前記試験の受験者を評価する評価担当者に用いられる評価担当者端末と、
前記サーバに前記通信ネットワークを介して接続され、前記評価担当者によって行われた前記評価に対する責任者である評価責任者に用いられる評価責任者端末と、
前記サーバに前記通信ネットワークを介して接続され、前記受験者に用いられる受験者端末と、を備え、
前記サーバは、
前記試験管理者端末が前記サーバへログインしていることを条件に、前記試験管理者端末への入力操作に応じて、前記受験者に対する設問を所定の記憶部に記憶させて当該設問を設定し、
前記受験者端末が前記サーバへログインしていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末が前記サーバへログインしていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末が前記サーバへログインしていることを条件に、前記評価担当者の前記回答に対する評価の結果を含み、当該評価の結果を確認して承認することができる画面を前記評価責任者端末に送信し、
前記評価責任者端末への入力操作に応じて、前記評価の結果に対する承認を示す情報を受信すると、当該承認を受け付けることを特徴とする申請／評価支援システム。
【請求項４】
所定の機関が実施する試験について用いられる申請／評価支援システムであって、
サーバと、
前記サーバに通信ネットワークを介して接続され、前記試験を管理する試験管理者に用いられる試験管理者端末と、
前記サーバに前記通信ネットワークを介して接続され、前記試験の受験者を評価する評価担当者に用いられる評価担当者端末と、
前記サーバに前記通信ネットワークを介して接続され、前記評価担当者によって行われた前記評価に対する責任者である評価責任者に用いられる評価責任者端末と、
前記サーバに前記通信ネットワークを介して接続され、前記受験者に用いられる受験者端末と、を備え、
前記サーバは、
前記試験管理者端末が前記サーバへログインしていることを条件に、前記試験管理者端末への入力操作に応じて、前記受験者に対する設問を所定の記憶部に記憶させて当該設問を設定し、
前記受験者端末が前記サーバへログインしていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末が前記サーバへログインしていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末が前記サーバへログインしていることを条件に、前記評価担当者の前記回答に対する評価の結果を含み、当該評価の結果を確認して変更することができる画面を前記評価責任者端末に送信し、
前記評価責任者端末への入力操作に応じて、前記評価の結果に対する変更を示す情報を受信すると、当該変更の内容に応じて前記記憶部に記憶していた前記評価の結果を変更することを特徴とする申請／評価支援システム。
【手続補正２】
【補正対象書類名】明細書
【補正対象項目名】０００６
【補正方法】変更
【補正の内容】
【０００６】
上記課題を解決するためになされた本発明の一形態は、
所定の機関が実施する試験について用いられるサーバであって、
前記試験を管理する試験管理者に用いられる試験管理者端末、前記試験の受験者を評価する評価担当者に用いられる評価担当者端末、前記評価担当者によって行われた前記評価に対する責任者である評価責任者に用いられる評価責任者端末、および前記受験者に用いられる受験者端末のそれぞれに通信ネットワークを介して接続され、
前記試験管理者端末にログインされていることを条件に、前記試験管理者端末への入力操作に応じて、前記受験者に対する設問を所定の記憶部に記憶させて当該設問を設定し、
前記受験者端末にログインされていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末にログインされていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末にログインされていることを条件に、前記評価担当者の前記回答に対する評価の結果を含み、当該評価の結果を確認して承認することができる画面を前記評価責任者端末に送信し、
前記評価責任者端末への入力操作に応じて、前記評価の結果に対する承認を示す情報を受信すると、当該承認を受け付けることを特徴とする。
また、上記課題を解決するためになされた本発明の一形態は、
所定の機関が実施する試験について用いられるサーバであって、
前記試験を管理する試験管理者に用いられる試験管理者端末、前記試験の受験者を評価する評価担当者に用いられる評価担当者端末、前記評価担当者によって行われた前記評価に対する責任者である評価責任者に用いられる評価責任者端末、および前記受験者に用いられる受験者端末のそれぞれに通信ネットワークを介して接続され、
前記試験管理者端末にログインされていることを条件に、前記試験管理者端末への入力操作に応じて、前記受験者に対する設問を所定の記憶部に記憶させて当該設問を設定し、
前記受験者端末にログインされていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末にログインされていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末にログインされていることを条件に、前記評価担当者の前記回答に対する評価の結果を含み、当該評価の結果を確認して変更することができる画面を前記評価責任者端末に送信し、
前記評価責任者端末への入力操作に応じて、前記評価の結果に対する変更を示す情報を受信すると、当該変更の内容に応じて前記記憶部に記憶していた前記評価の結果を変更することを特徴とする。
また、上記課題を解決するためになされた本発明の一形態は、
所定の機関が実施する試験について用いられる申請／評価支援システムであって、
サーバと、
前記サーバに通信ネットワークを介して接続され、前記試験を管理する試験管理者に用いられる試験管理者端末と、
前記サーバに前記通信ネットワークを介して接続され、前記試験の受験者を評価する評価担当者に用いられる評価担当者端末と、
前記サーバに前記通信ネットワークを介して接続され、前記評価担当者によって行われた前記評価に対する責任者である評価責任者に用いられる評価責任者端末と、
前記サーバに前記通信ネットワークを介して接続され、前記受験者に用いられる受験者端末と、を備え、
前記サーバは、
前記試験管理者端末が前記サーバへログインしていることを条件に、前記試験管理者端末への入力操作に応じて、前記受験者に対する設問を所定の記憶部に記憶させて当該設問を設定し、
前記受験者端末が前記サーバへログインしていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末が前記サーバへログインしていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末が前記サーバへログインしていることを条件に、前記評価担当者の前記回答に対する評価の結果を含み、当該評価の結果を確認して承認することができる画面を前記評価責任者端末に送信し、
前記評価責任者端末への入力操作に応じて、前記評価の結果に対する承認を示す情報を受信すると、当該承認を受け付けることを特徴とする。
また、上記課題を解決するためになされた本発明の一形態は、
所定の機関が実施する試験について用いられる申請／評価支援システムであって、
サーバと、
前記サーバに通信ネットワークを介して接続され、前記試験を管理する試験管理者に用いられる試験管理者端末と、
前記サーバに前記通信ネットワークを介して接続され、前記試験の受験者を評価する評価担当者に用いられる評価担当者端末と、
前記サーバに前記通信ネットワークを介して接続され、前記評価担当者によって行われた前記評価に対する責任者である評価責任者に用いられる評価責任者端末と、
前記サーバに前記通信ネットワークを介して接続され、前記受験者に用いられる受験者端末と、を備え、
前記サーバは、
前記試験管理者端末が前記サーバへログインしていることを条件に、前記試験管理者端末への入力操作に応じて、前記受験者に対する設問を所定の記憶部に記憶させて当該設問を設定し、
前記受験者端末が前記サーバへログインしていることを条件に、前記設問を含み、当該設問に回答させるための回答画面を前記受験者端末に送信し、
前記受験者端末への入力操作に応じて、前記受験者の前記設問に対する回答を前記記憶部に記憶させて当該回答を受け付け、
前記評価担当者端末が前記サーバへログインしていることを条件に、前記回答を含み、当該回答に対する評価を行わせるための評価画面を前記評価担当者端末に送信し、
前記評価担当者端末への入力操作に応じて、前記評価担当者の前記回答に対する評価を前記記憶部に記憶させて当該評価を受け付け、
前記評価責任者端末が前記サーバへログインしていることを条件に、前記評価担当者の前記回答に対する評価の結果を含み、当該評価の結果を確認して変更することができる画面を前記評価責任者端末に送信し、
前記評価責任者端末への入力操作に応じて、前記評価の結果に対する変更を示す情報を受信すると、当該変更の内容に応じて前記記憶部に記憶していた前記評価の結果を変更することを特徴とする。